(57)【要約】【課題】メッセージを送信するためのシステム、方法および手段が提供される。【解決手段】例えば、第１の無線アクセス技術（ＲＡＴ）および／または第２のＲＡＴが決定され得る。第１のＲＡＴはデータの受信のために決定され得る。第２のＲＡＴは、おそらく、例えば第１のＲＡＴを介して受信された表示に基づいて、データの受信のために決定され得る。データは、第１のＲＡＴに関連付けられた第１のノード、および第２のＲＡＴに関連付けられた第２のノードを介して受信され得る。【選択図】図８
2020191688.tif 000002
【特許請求の範囲】
【請求項１】
無線送受信ユニット（ＷＴＲＵ）であって、
メモリと、
プロセッサと
を備え、前記プロセッサは、
第１の無線アクセス技術を使用し、
ダウンリンク送信に関連付けられるダウンリンクリソース要素の第１のセットを示す情報を前記第１の無線アクセス技術の上で受信し、
セル固有の参照信号送信に関連付けられるリソース要素の第２のセットを示す情報を第２の無線アクセス技術の上で受信し、
ダウンリンクリソース要素の前記第１のセットのサブセットがリソース要素の前記第２のセットと重なることを判定し、
リソース要素の前記第２のセットと重ならないダウンリンクリソース要素の前記第１のセットのリソース要素を介して、前記第１の無線アクセス技術の上で前記ダウンリンク送信を受信し、
重なったリソースの周りで前記第１の無線アクセス技術の上で前記ダウンリンク送信をデレートマッチする
ように構成される、ＷＴＲＵ。
【発明の詳細な説明】
【技術分野】
【０００１】
関連出願の相互参照
本出願は、2015年12月30日に出願された米国特許仮出願第62/272,936号明細書、および2016年5月20日に出願された米国特許仮出願第62/339,335号明細書の利益を主張するものであり、それらの全ての内容は、あらゆる目的で、それぞれの全体が本明細書に完全に記載されているかのように参照により本明細書に組み込まれている。
【０００２】
本発明は無線通信に関する。
【背景技術】
【０００３】
モバイル通信は、多入力多出力、すなわちＭＩＭＯを採用することができる。ＭＩＭＯは、複数の送信アンテナおよび受信アンテナを使用してマルチパス伝搬を利用することで、無線リンクの容量を増大させることができる。ＭＩＭＯは、送信機および受信機における複数のアンテナの使用を採用することができる。ＭＩＭＯはまた、マルチパス伝搬を利用することによって、２つ以上のデータ信号を同時に、おそらくは同じ無線リンクを介して、送信および受信するための技法を採用することができる。モバイル通信は継続的に進化しており、第５世代すなわち５Ｇはすぐ目の前まで迫っている。
【発明の概要】
【０００４】
メッセージを送信するためのシステム、方法および手段が開示される。例えば、第１の無線アクセス技術（ＲＡＴ）および第２のＲＡＴが決定され得る。第１のＲＡＴはデータの受信のために決定され得る。第２のＲＡＴは、第１のＲＡＴを介して受信された表示（indication）に基づいて、データの受信のために決定され得る。データは、第１のＲＡＴに関連付けられた第１のノード、および第２のＲＡＴに関連付けられた第２のノードを介して受信され得る。
【０００５】
ＷＴＲＵが動的なＲＡＴ構成を利用するように構成され得る。例えば、ＷＴＲＵは、１次ＲＡＴおよび２次ＲＡＴを用いて構成され得る。２次ＲＡＴは、１次ＲＡＴからの表示に基づいて決定され得る。ＷＴＲＵは、好ましいＲＡＴを報告するように構成され得る。例えば、ＷＴＲＵは、１つまたは複数の基準（例えば、測定値）に基づいて、１つまたは複数の好ましいＲＡＴを選択することができ、マルチＲＡＴ送信のために使用され得る複数のＲＡＴのうちの好ましいＲＡＴを報告することができる。ＷＴＲＵは、指示されたＲＡＴおよび／または別途ネットワークによって指定されたＲＡＴを使用するように構成され得る。例えば、ＷＴＲＵは、知られているアップリンクリソースを使用して特定のＲＡＴ（例えば、好ましいＲＡＴ）に関連付けられ得るプローブ信号を送ることができる。ＷＴＲＵは、プローブ信号によって示されたＲＡＴに基づいて送信された確認信号を受信することができる。
【０００６】
例えば、１つのＲＡＴが、ロングタームエボリューション（ＬＴＥ）ＲＡＴ（例えば、ＯＦＤＭＡを利用する第１のＲＡＴ）に対応してよく、第２のＲＡＴは、５Ｇ通信に使用され得るｎｅｗ  ＲＡＴ（ＮＲ）に対応してよい。ＷＴＲＵは、例えば部分的リソースパンクチャリング（resource puncturing）を使用して、より高い優先度の送信のための望ましい信号受信品質が満たされることを保証することで、第１のＲＡＴ（例えばＬＴＥ）および第２のＲＡＴ（例えばＮＲ）へのおよび／またはそれらからの送信を調整するように構成され得る。ＷＴＲＵは、ＲＡＴ信号の送信のために利用されるリソースが別のＲＡＴからの信号と重なるか否か（例えば、それがＬＴＥ  ＲＡＴ信号と重なるかどうかなど）に基づいて、ＲＡＴ信号タイプ（例えば、ＮＲ  ＲＡＴ信号タイプ）を決定するように構成され得る。ＷＴＲＵは、ＲＡＴ信号タイプ（例えばＮＲ信号タイプ）に基づいて、波形のタイプ、ＲＡＴのヌメロロジ（numerology）、ＲＡＴフレーム構造、および／またはＲＡＴ多元接続方式のうちの１つまたは複数を決定するように構成され得る。ＷＴＲＵは、動的なクロスＲＡＴスケジューリングのために使用されるダウンリンク制御チャネルを受信するように構成され得る。
【０００７】
例えば、ダウンリンク制御チャネル内のＲＡＴフラグが、どのＲＡＴにダウンリンク制御情報（ＤＣＩ）が適用可能であるかを示すことができる。ＷＴＲＵは、１次ＲＡＴ構成または２次ＲＡＴ構成に基づいて（例えば、どのＲＡＴにＤＣＩが適用可能であると決定されるかに応じて）、ダウンリンク制御チャネルを解釈することができる。１つもしくは複数または多数のＲＡＴ（例えば、ＬＴＥおよびＮＲ）についてのサウンディング参照信号（ＳＲＳ）送信が、調整セットで行われ、および／または、ＷＴＲＵが、ＳＲＳ送信に使用するために適切なＲＡＴを決定するように構成され得る。
【０００８】
無線送受信ユニット（ＷＴＲＵ）はメモリを備えることができる。ＷＴＲＵは受信機を備えることができる。受信機は、第１の構成を受信するように構成され得る。第１の構成は、第１の無線アクセス技術（ＲＡＴ）を介する通信のための１つまたは複数の第１のリソースを含むことができる。受信機は、第２の構成を受信するように構成され得る。第２の構成は、第１のＲＡＴまたは第２のＲＡＴのうちの少なくとも１つを介する通信のための１つまたは複数の第２のリソースを含むことができる。ＷＴＲＵは、プロセッサを備えることができる。プロセッサは、１つまたは複数の第１のリソースを第１のＲＡＴに関連付けるように構成され得る。プロセッサは、第１のＲＡＴを介して伝達される第１の信号と第２のＲＡＴを介して伝達される第２の信号とが１つまたは複数の第２のリソースの少なくとも１つにおいて重なることができるように、１つまたは複数の第２のリソースを第１のＲＡＴおよび第２のＲＡＴに関連付けるように構成され得る。受信機は、第１のＲＡＴおよび１つまたは複数の第２のリソースを介して第１の信号を受信するようにさらに構成され得る。受信機は、第２のＲＡＴおよび１つまたは複数の第２のリソースを介して第２の信号を受信するように構成され得る。プロセッサは、１つまたは複数の第２のリソースの少なくとも１つにおいて第１のＲＡＴを介する第１の信号からの干渉なしに第２のＲＡＴを介して第２の信号が受信され得るように、第１のＲＡＴに関連付けられた１つまたは複数の第２のリソースの少なくとも１つをパンクチャするようにさらに構成され得る。
【０００９】
無線送受信ユニット（ＷＴＲＵ）はメモリを備えることができる。ＷＴＲＵは受信機を備えることができる。受信機は、１つまたは複数の第１の時間期間において第１の無線アクセス技術（ＲＡＴ）のための第１の制御チャネルを受信するように構成され得る。受信機は、１つまたは複数の第２の時間期間において第２のＲＡＴのための第２の制御チャネルを受信するように構成され得る。ＷＴＲＵは、プロセッサを備えることができる。プロセッサは、１つまたは複数の第１の時間期間の少なくとも１つにおいて第１の制御チャネルを監視するように構成され得る。プロセッサは、第１の制御チャネル内の表示を検出して、１つまたは複数の第２の時間期間の少なくとも１つにおいて第２の制御チャネルを監視するように構成され得る。１つまたは複数の第２の時間期間の少なくとも１つは、１つもしくは複数の第１の時間期間の少なくとも１つの中の時間期間、または１つもしくは複数の第１の時間期間の少なくとも１つに続く時間期間のうちの少なくとも一方であり得る。プロセッサは、表示の検出をすると、１つまたは複数の第２の時間期間の少なくとも１つにおいて第２の制御チャネルを監視するように構成され得る。プロセッサは、少なくとも第１の制御チャネルおよび第２の制御チャネルに基づいて、第１のＲＡＴと第２のＲＡＴとにわたるジョイント通信（joint communication）を調整するように構成され得る。
【図面の簡単な説明】
【００１０】
詳細な理解が添付図面と併せて例として与えられる以下の説明から得られるであろう。
【図１Ａ】１つまたは複数の開示される実施形態が実装され得る例示的な通信システムのシステム図である。
【図１Ｂ】図１Ａに示された通信システム内で使用され得る例示的な無線送受信ユニット（ＷＴＲＵ）のシステム図である。
【図１Ｃ】図１Ａに示された通信システム内で使用され得る例示的な無線アクセスネットワークおよび例示的なコアネットワークのシステム図である。
【図１Ｄ】図１Ａに示された通信システム内で使用され得る別の例示的な無線アクセスネットワークおよび例示的なコアネットワークのシステム図である。
【図１Ｅ】図１Ａに示された通信システム内で使用され得る別の例示的な無線アクセスネットワークおよび例示的なコアネットワークのシステム図である。
【図２】例示的なマルチ無線アクセス技術（ＲＡＴ）干渉を示す図である。
【図３】例示的なグループベースの通信を示す図である。
【図４】例示的なソーシャルおよびコンテキスト認識（social and context aware）日和見ＭＩＭＯ（Opportunistic MIMO：Ｏ−ＭＩＭＯ）を示す図である。
【図５】例示的なマルチＲＡＴ無線層スタックを示す図である。
【図６】例示的なＲＡＴ間ジョイント通信を示す図である。
【図７】例示的なＲＡＴ間干渉処理を示す図である。
【図８】モバイルデバイスを介する１つもしくは複数または多数のＲＡＴにわたる例示的な調整を示す図である。
【図９】例示的なモバイル向けＲＡＴを示す図である。
【発明を実施するための形態】
【００１１】
ここで、様々な図を参照して例示的な実施形態の詳細な説明が説明される。この説明は可能な実装形態の詳細な例を提供するが、詳細は例であることが意図され、適用の範囲を全く限定しないことに留意されたい。
【００１２】
図１Ａは、１つまたは複数の開示される実施形態が実装され得る例示的な通信システム１００の図である。通信システム１００は、音声、データ、ビデオ、メッセージング、ブロードキャストなどのコンテンツを複数の無線ユーザに提供する多元接続システムであり得る。通信システム１００は、複数の無線ユーザが、無線帯域幅を含むシステムリソースの共有によってそのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を利用することができる。
【００１３】
図１Ａに示されるように、通信システム１００は、無線送受信ユニット（ＷＴＲＵ）１０２ａ、１０２ｂ、１０２ｃ、および／または１０２ｄ（全体的または集合的にＷＴＲＵ１０２と呼ばれることがある）、無線アクセスネットワーク（ＲＡＮ）１０３／１０４／１０５、コアネットワーク１０６／１０７／１０９、公衆交換電話網（ＰＳＴＮ）１０８、インターネット１１０、並びに他のネットワーク１１２を含むことができるが、開示される実施形態は任意の数のＷＴＲＵ、基地局、ネットワークおよび／またはネットワーク要素を企図していることが理解されよう。ＷＴＲＵ１０２ａ、１０２ｂ、１０２ｃ、１０２ｄのそれぞれは、無線環境で動作および／または通信するように構成された任意の種類のデバイスであり得る。例えば、ＷＴＲＵ１０２ａ、１０２ｂ、１０２ｃ、１０２ｄは、無線信号を送信および／または受信するように構成されてよく、ユーザ機器（ＵＥ）、移動局、固定またはモバイル加入者ユニット、ページャ、セルラ電話、携帯情報端末（ＰＤＡ）、スマートフォン、ラップトップ、ノートブック、パーソナルコンピュータ、無線センサ、家庭用電子機器などを含み得る。
【００１４】
通信システム１００は、基地局１１４ａおよび基地局１１４ｂを含むこともできる。基地局１１４ａ、１１４ｂのそれぞれは、ＷＴＲＵ１０２ａ、１０２ｂ、１０２ｃ、１０２ｄのうちの少なくとも１つと無線でインターフェースして、コアネットワーク１０６／１０７／１０９、インターネット１１０、および／またはネットワーク１１２などの１つまたは複数の通信ネットワークに対するアクセスを容易にするように構成された任意の種類のデバイスであり得る。例えば、基地局１１４ａ、１１４ｂは、基地トランシーバ局（ＢＴＳ）、Ｎｏｄｅ−Ｂ、ｅＮｏｄｅ  Ｂ、ホームＮｏｄｅ  Ｂ、ホームｅＮｏｄｅ  Ｂ、サイトコントローラ、アクセスポイント（ＡＰ）、無線ルータなどであり得る。基地局１１４ａ、１１４ｂはそれぞれ単一の要素として示されているが、基地局１１４ａ、１１４ｂは任意の数の相互接続された基地局および／またはネットワーク要素を含み得ることは理解されよう。
【００１５】
基地局１１４ａは、ＲＡＮ１０３／１０４／１０５の一部とすることができ、ＲＡＮ１０３／１０４／１０５は、基地局コントローラ（ＢＳＣ）、無線ネットワークコントローラ（ＲＮＣ）、リレーノードなど、他の基地局および／またはネットワーク要素（図示せず）も含んでよい。基地局１１４ａおよび／または基地局１１４ｂは、セル（図示せず）と呼ばれることがある特定の地理的領域内で無線信号を送信および／または受信するように構成され得る。セルは、さらにセルセクタに分割され得る。例えば、基地局１１４ａに関連付けられたセルが、３つのセクタに分割され得る。従って、一実施形態では、基地局１１４ａは、３つのトランシーバ、すなわちセルの各セクタについて１つのトランシーバを含むことができる。別の実施形態では、基地局１１４ａは、多入力多出力（ＭＩＭＯ）技術を採用することができ、従って、セルの各セクタについて複数のトランシーバを利用することができる。
【００１６】
基地局１１４ａ、１１４ｂは、任意の適切な無線通信リンク（例えば、無線周波数（ＲＦ）、マイクロ波、赤外線（ＩＲ）、紫外線（ＵＶ）、可視光など）であり得るエアインターフェース１１５／１１６／１１７を介して、ＷＴＲＵ１０２ａ、１０２ｂ、１０２ｃ、１０２ｄの１つまたは複数と通信することができる。エアインターフェース１１５／１１６／１１７は、任意の適切な無線アクセス技術（ＲＡＴ）を使用して確立され得る。
【００１７】
より具体的には、上記されたように、通信システム１００は、多元接続システムとすることができ、ＣＤＭＡ、ＴＤＭＡ、ＦＤＭＡ、ＯＦＤＭＡ、ＳＣ−ＦＤＭＡなどの１つまたは複数のチャネルアクセス方式を採用することができる。例えば、ＲＡＮ１０３／１０４／１０５内の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１１５／１１６／１１７を確立することが可能な、ユニバーサル移動体通信システム（ＵＭＴＳ）地上無線アクセス（ＵＴＲＡ）などの無線技術を実装することができる。ＷＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００１８】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１５／１１６／１１７を確立することが可能な、発展型ＵＭＴＳ地上無線アクセス（Ｅ−ＵＴＲＡ）などの無線技術を実装することができる。
【００１９】
他の実施形態では、基地局１１４ａおよびＷＴＲＵ１０２ａ、１０２ｂ、１０２ｃは、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、ＧＳＭ  ＥＤＧＥ（ＧＥＲＡＮ）などの無線技術を実装することができる。
【００２０】
図１Ａの基地局１１４ｂは、例えば、無線ルータ、ホームＮｏｄｅ  Ｂ、ホームｅＮｏｄｅ  Ｂ、またはアクセスポイントとすることができ、事業所、家、車両、キャンパスなどの局所化されたエリア内で無線接続性を容易にするための任意の適切なＲＡＴを利用することができる。一実施形態では、基地局１１４ｂおよびＷＴＲＵ１０２ｃ、１０２ｄは、ＩＥＥＥ８０２．１１などの無線技術を実装して、無線ローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実装して、無線パーソナルエリアネットワーク（ＷＰＡＮ）を確立することができる。さらに別の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０に対する直接接続を有することができる。従って、基地局１１４ｂは、コアネットワーク１０６／１０７／１０９を介してインターネット１１０にアクセスすることを必要とされなくてよい。
【００２１】
ＲＡＮ１０３／１０４／１０５は、コアネットワーク１０６／１０７／１０９と通信することができ、コアネットワーク１０６／１０７／１０９は、音声、データ、アプリケーション、および／またはＶｏＩＰ（Voice over Internet Protocol）サービスをＷＴＲＵ１０２ａ、１０２ｂ、１０２ｃ、１０２ｄのうちの１つまたは複数に提供するように構成された任意のタイプのネットワークであり得る。例えば、コアネットワーク１０６／１０７／１０９は、呼制御、課金サービス、モバイル位置ベースのサービス、プリペイド通話、インターネット接続性、ビデオ配信などを提供すること、および／またはユーザ認証などの高レベルセキュリティ機能を実行することができる。図１Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを採用する他のＲＡＮと直接的または間接的に通信し得ることが理解されよう。例えば、Ｅ−ＵＴＲＡ無線技術を利用中であり得るＲＡＮ１０３／１０４／１０５に接続されることに加えて、コアネットワーク１０６／１０７／１０９は、ＧＳＭ無線技術を採用している別のＲＡＮ（図示せず）と通信することもできる。
【００２２】
コアネットワーク１０６／１０７／１０９は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイの役割をすることもできる。ＰＳＴＮ１０８は、単純な従来型の電話サービス（ＰＯＴＳ）を提供する回線交換電話網を含み得る。インターネット１１０は、ＴＣＰ／ＩＰインターネットプロトコルスイートにおけるＴＣＰ、ＵＤＰ、およびＩＰなどの一般的な通信プロトコルを使用する、相互接続されたコンピュータネットワークおよびデバイスのグローバルシステムを含み得る。ネットワーク１１２は、他のサービスプロバイダによって所有および／または運用される有線または無線通信ネットワークを含み得る。例えば、ネットワーク１１２は、ＲＡＮ１０３／１０４／１０５と同じＲＡＴまたは異なるＲＡＴを採用することが可能な１つまたは複数のＲＡＮに接続された別のコアネットワークを含み得る。
【００２３】
通信システム１００内のＷＴＲＵ１０２ａ、１０２ｂ、１０２ｃ、１０２ｄの一部または全部がマルチモード能力を含んでよく、すなわち、ＷＴＲＵ１０２ａ、１０２ｂ、１０２ｃ、１０２ｄは、異なる無線リンクを介して異なる無線ネットワークと通信するための複数のトランシーバを含んでよい。例えば、図１Ａに示されるＷＴＲＵ１０２ｃは、セルラベースの無線技術を採用できる基地局１１４ａ、およびＩＥＥＥ８０２無線技術を採用できる基地局１１４ｂと通信するように構成され得る。
【００２４】
図１Ｂは、例示的なＷＴＲＵ１０２のシステム図である。図１Ｂに示されるように、ＷＴＲＵ１０２は、プロセッサ１１８、トランシーバ１２０、送受信要素１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６、および他の周辺機器１３８を含むことができる。ＷＴＲＵ１０２は、実施形態との整合性を保ちながら上記の要素の任意の部分的組み合わせを含み得ることが理解されよう。また、実施形態は、基地局１１４ａおよび１１４ｂ、並びに／または基地局１１４ａおよび１１４ｂが表し得るノード、例えば、以下に限定されないが特に、トランシーバ局（ＢＴＳ）、Ｎｏｄｅ−Ｂ、サイトコントローラ、アクセスポイント（ＡＰ）、ホームｎｏｄｅ−Ｂ、発展型ホームｎｏｄｅ−Ｂ（ｅＮｏｄｅＢ）、ホーム発展型ｎｏｄｅ−Ｂ（ＨｅＮＢ）、ホーム発展型ｎｏｄｅ−Ｂゲートウェイ、およびプロキシノードなどが、図１Ｂに示され本明細書に説明される要素の一部または全部を含み得ることを企図する。
【００２５】
プロセッサ１１８は、汎用プロセッサ、専用プロセッサ、従来のプロセッサ、デジタルシグナルプロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、ＦＰＧＡ回路、他の任意のタイプの集積回路（ＩＣ）、状態機械などであり得る。プロセッサ１１８は、ＷＴＲＵ１０２が無線環境で動作することを可能にする信号符号化、データ処理、電力制御、入力／出力処理、および／または他の任意の機能性を実行することができる。プロセッサ１１８は、送受信要素１２２に結合され得るトランシーバ１２０に結合され得る。図１Ｂは、プロセッサ１１８とトランシーバ１２０を別々の構成要素として示すが、プロセッサ１１８とトランシーバ１２０は電子パッケージまたはチップに一緒に組み込まれてもよいことが理解されよう。
【００２６】
送受信要素１２２は、エアインターフェース１１５／１１６／１１７を介して信号を基地局（例えば基地局１１４ａ）に送信し、または基地局から受信するように構成され得る。例えば、一実施形態では、送受信要素１２２は、ＲＦ信号を送信および／または受信するように構成されたアンテナであり得る。別の実施形態では、送受信要素１２２は、例えば、ＩＲ信号、ＵＶ信号、または可視光信号を送信および／または受信するように構成されたエミッタ／検出器であり得る。さらに別の実施形態では、送受信要素１２２は、ＲＦ信号と光信号の両方を送信および受信するように構成され得る。送受信要素１２２は、無線信号の任意の組み合わせを送信および／または受信するように構成され得ることが理解されよう。
【００２７】
また、送受信要素１２２は図１Ｂでは単一の要素として示されているが、ＷＴＲＵ１０２は任意の数の送受信要素１２２を含んでよい。より具体的には、ＷＴＲＵ１０２はＭＩＭＯ技術を採用することができる。従って、一実施形態では、ＷＴＲＵ１０２は、エアインターフェース１１５／１１６／１１７を介して無線信号を送信および受信するための２つ以上の送受信要素１２２（例えば、複数のアンテナ）を含むことができる。
【００２８】
トランシーバ１２０は、送受信要素１２２によって送信されることになる信号を変調し、送受信要素１２２によって受信される信号を復調するように構成され得る。上記されたように、ＷＴＲＵ１０２はマルチモード能力を有することができる。従って、トランシーバ１２０は、例えばＵＴＲＡおよびＩＥＥＥ８０２．１１などの複数のＲＡＴを介してＷＴＲＵ１０２が通信することを可能にするために複数のトランシーバを含み得る。
【００２９】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）ディスプレイユニットもしくは有機発光ダイオード（ＯＬＥＤ）ディスプレイユニット）に結合されることができ、それらからユーザ入力データを受信することができる。プロセッサ１１８はまた、スピーカ／マイクロフォン１２４、キーパッド１２６、および／またはディスプレイ／タッチパッド１２８にユーザデータを出力することができる。また、プロセッサ１１８は、非リムーバブルメモリ１３０および／またはリムーバブルメモリ１３２などの任意のタイプの適切なメモリからの情報にアクセスすることができ、それらのメモリにデータを記憶することができる。非リムーバブルメモリ１３０は、ＲＡＭ、ＲＯＭ、ハードディスク、または他の任意のタイプのメモリストレージデバイスを含み得る。リムーバブルメモリ１３２は、加入者識別モジュール（ＳＩＭ）カード、メモリスティック、セキュアデジタル（ＳＤ）メモリカードなどを含み得る。他の実施形態では、プロセッサ１１８は、ＷＴＲＵ１０２上に物理的に配置されていない、サーバまたはホームコンピュータ（図示せず）上などのメモリからの情報にアクセスすることができ、それらのメモリにデータを記憶することができる。
【００３０】
プロセッサ１１８は、電源１３４から電力を受け取ることができ、ＷＴＲＵ１０２における他の構成要素に対する電力を分配および／または制御するように構成され得る。電源１３４は、ＷＴＲＵ１０２に電力供給するための任意の適切なデバイスであり得る。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００３１】
プロセッサ１１８はまた、ＷＴＲＵ１０２の現在位置に関する位置情報（例えば、経度および緯度）を提供するように構成され得るＧＰＳチップセット１３６に結合され得る。ＧＰＳチップセット１３６からの情報に加えて、またはその代わりに、ＷＴＲＵ１０２は、基地局（例えば、基地局１１４ａ、１１４ｂ）からエアインターフェース１１５／１１６／１１７を介して位置情報を受信し、および／または２つ以上の近くの基地局から受信される信号のタイミングに基づいて、その位置を決定してもよい。ＷＴＲＵ１０２は、実施形態との整合性を保ちながら、任意の適切な位置決定方法によって位置情報を取得し得ることが理解されよう。
【００３２】
プロセッサ１１８は、追加の特徴、機能性、および／または有線もしくは無線接続を提供する１つまたは複数のソフトウェアおよび／またはハードウェアモジュールを含み得る、他の周辺機器１３８にさらに結合されてよい。例えば、周辺機器１３８は、加速度計、電子コンパス、衛星トランシーバ、（写真またはビデオ用）デジタルカメラ、ＵＳＢポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含み得る。
【００３３】
図１Ｃは、実施形態によるＲＡＮ１０３およびコアネットワーク１０６のシステム図である。上記されたように、ＲＡＮ１０３は、ＵＴＲＡ無線技術を採用して、エアインターフェース１１５を介してＷＴＲＵ１０２ａ、１０２ｂ、１０２ｃと通信することができる。ＲＡＮ１０３は、コアネットワーク１０６と通信することもできる。図１Ｃに示されるように、ＲＡＮ１０３は、エアインターフェース１１５を介してＷＴＲＵ１０２ａ、１０２ｂ、１０２ｃと通信するための１つまたは複数のトランシーバをそれぞれ含み得るＮｏｄｅ−Ｂ１４０ａ、１４０ｂ、１４０ｃを含むことができる。Ｎｏｄｅ−Ｂ１４０ａ、１４０ｂ、１４０ｃはそれぞれ、ＲＡＮ１０３内の特定のセル（図示せず）に関連付けられ得る。ＲＡＮ１０３は、ＲＮＣ１４２ａ、１４２ｂを含むこともできる。ＲＡＮ１０３は、実施形態との整合性を保ちながら、任意の数のＮｏｄｅ−ＢおよびＲＮＣを含み得ることが理解されよう。
【００３４】
図１Ｃに示されるように、Ｎｏｄｅ−Ｂ１４０ａ、１４０ｂは、ＲＮＣ１４２ａと通信することができる。また、Ｎｏｄｅ−Ｂ１４０ｃはＲＮＣ１４２ｂと通信することができる。Ｎｏｄｅ−Ｂ１４０ａ、１４０ｂ、１４０ｃは、Ｉｕｂインターフェースを介してそれぞれのＲＮＣ１４２ａ、１４２ｂと通信することができる。ＲＮＣ１４２ａ、１４２ｂは、Ｉｕｒインターフェースを介して互いに通信することができる。ＲＮＣ１４２ａ、１４２ｂのそれぞれは、それが接続された関連するＮｏｄｅ−Ｂ１４０ａ、１４０ｂ、１４０ｃを制御するように構成され得る。加えて、ＲＮＣ１４２ａ、１４２ｂのそれぞれは、アウターループ電力制御、負荷制御、アドミッション制御、パケットスケジューリング、ハンドオーバ制御、マクロダイバーシティ、セキュリティ機能、データ暗号化など、他の機能性を実行またはサポートするように構成され得る。
【００３５】
図１Ｃに示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素のそれぞれはコアネットワーク１０６の一部として示されているが、これらの要素のいずれも、コアネットワーク事業者以外のエンティティによって所有および／または運用されてもよいことは理解されよう。
【００３６】
ＲＡＮ１０３内のＲＮＣ１４２ａは、コアネットワーク１０６内のＭＳＣ１４６にＩｕＣＳインターフェースを介して接続され得る。ＭＳＣ１４６はＭＧＷ１４４に接続され得る。ＭＳＣ１４６およびＭＧＷ１４４は、ＰＳＴＮ１０８などの回線交換ネットワークに対するアクセスをＷＴＲＵ１０２ａ、１０２ｂ、１０２ｃに提供し、ＷＴＲＵ１０２ａ、１０２ｂ、１０２ｃと従来の陸線通信デバイスとの間の通信を容易にすることができる。
【００３７】
ＲＡＮ１０３内のＲＮＣ１４２ａは、コアネットワーク１０６内のＳＧＳＮ１４８にも、ＩｕＰＳインターフェースを介して接続され得る。ＳＧＳＮ１４８はＧＧＳＮ１５０に接続され得る。ＳＧＳＮ１４８およびＧＧＳＮ１５０は、インターネット１１０などのパケット交換ネットワークに対するアクセスをＷＴＲＵ１０２ａ、１０２ｂ、１０２ｃに提供し、ＷＴＲＵ１０２ａ、１０２ｂ、１０２ｃとＩＰ対応のデバイスとの間の通信を容易にすることができる。
【００３８】
上記されたように、コアネットワーク１０６は、他のサービスプロバイダによって所有および／または運用される他の有線または無線ネットワークを含み得るネットワーク１１２にも接続され得る。
【００３９】
図１Ｄは、実施形態によるＲＡＮ１０４およびコアネットワーク１０７のシステム図である。上記されたように、ＲＡＮ１０４は、Ｅ−ＵＴＲＡ無線技術を採用して、エアインターフェース１１６を介してＷＴＲＵ１０２ａ、１０２ｂ、１０２ｃと通信することができる。ＲＡＮ１０４は、コアネットワーク１０７と通信することもできる。
【００４０】
ＲＡＮ１０４は、ｅＮｏｄｅ−Ｂ１６０ａ、１６０ｂ、１６０ｃを含むことができるが、ＲＡＮ１０４は、実施形態との整合性を保ちながら、任意の数のｅＮｏｄｅ−Ｂを含み得ることが理解されよう。ｅＮｏｄｅ−Ｂ１６０ａ、１６０ｂ、１６０ｃはそれぞれ、エアインターフェース１１６を介してＷＴＲＵ１０２ａ、１０２ｂ、１０２ｃと通信するための１つまたは複数のトランシーバを含むことができる。一実施形態では、ｅＮｏｄｅ−Ｂ１６０ａ、１６０ｂ、１６０ｃは、ＭＩＭＯ技術を実装することができる。従って、ｅＮｏｄｅ−Ｂ１６０ａは、例えば、複数のアンテナを使用して、ＷＴＲＵ１０２ａに無線信号を送信すること、およびＷＴＲＵ１０２ａから無線信号を受信することができる。
【００４１】
ｅＮｏｄｅ−Ｂ１６０ａ、１６０ｂ、１６０ｃのそれぞれは、特定のセル（図示せず）に関連付けられることが可能であり、無線リソース管理決定、ハンドオーバ決定、アップリンクおよび／またはダウンリンクにおけるユーザのスケジューリングなどを処理するように構成され得る。図１Ｄに示されるように、ｅＮｏｄｅ−Ｂ１６０ａ、１６０ｂ、１６０ｃは、Ｘ２インターフェースを介して互いに通信することができる。
【００４２】
図１Ｄに示されるコアネットワーク１０７は、モビリティ管理ゲートウェイ（ＭＭＥ）１６２、サービングゲートウェイ１６４、およびパケットデータネットワーク（ＰＤＮ）ゲートウェイ１６６を含むことができる。上記の要素のそれぞれはコアネットワーク１０７の一部として示されているが、これらの要素のいずれも、コアネットワーク事業者以外のエンティティによって所有および／または運用されてもよいことは理解されよう。
【００４３】
ＭＭＥ１６２は、Ｓ１インターフェースを介してＲＡＮ１０４内のｅＮｏｄｅ−Ｂ１６０ａ、１６０ｂ、１６０ｃのそれぞれに接続されることが可能であり、制御ノードの役割をすることができる。例えば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期アタッチ中に特定のサービングゲートウェイを選択することなどを担当することができる。ＭＭＥ１６２は、ＲＡＮ１０４と、ＧＳＭまたはＷＣＤＭＡなどの他の無線技術を採用する他のＲＡＮ（図示せず）との間で切り換えるための制御プレーン機能を提供することもできる。
【００４４】
サービングゲートウェイ１６４は、Ｓ１インターフェースを介してＲＡＮ１０４内のｅＮｏｄｅ−Ｂ１６０ａ、１６０ｂ、１６０ｃのそれぞれに接続され得る。サービングゲートウェイ１６４は、一般に、ＷＴＲＵ１０２ａ、１０２ｂ、１０２ｃへ／からのユーザデータパケットをルーティングおよび転送することができる。サービングゲートウェイ１６４は、ｅＮｏｄｅ  Ｂ間ハンドオーバ中にユーザプレーンをアンカリングすること、ダウンリンクデータがＷＴＲＵ１０２ａ、１０２ｂ、１０２ｃに対して利用可能なときにページングをトリガすること、ＷＴＲＵ１０２ａ、１０２ｂ、１０２ｃのコンテキストを管理および記憶することなど、他の機能を実行することもできる。
【００４５】
サービングゲートウェイ１６４は、ＰＤＮゲートウェイ１６６に接続されてもよく、ＰＤＮゲートウェイ１６６は、インターネット１１０などのパケット交換ネットワークに対するアクセスをＷＴＲＵ１０２ａ、１０２ｂ、１０２ｃに提供して、ＷＴＲＵ１０２ａ、１０２ｂ、１０２ｃとＩＰ対応のデバイスとの間の通信を容易にすることができる。
【００４６】
コアネットワーク１０７は、他のネットワークとの通信を容易にすることができる。例えば、コアネットワーク１０７は、ＰＳＴＮ１０８などの回線交換ネットワークに対するアクセスをＷＴＲＵ１０２ａ、１０２ｂ、１０２ｃに提供し、ＷＴＲＵ１０２ａ、１０２ｂ、１０２ｃと従来の陸線通信デバイスとの間の通信を容易にすることができる。例えば、コアネットワーク１０７は、コアネットワーク１０７とＰＳＴＮ１０８との間のインターフェースの役割をするＩＰゲートウェイ（例えば、ＩＰマルチメディアサブシステム（ＩＭＳ）サーバ）を含むことができ、またはそれらのＩＰゲートウェイと通信することができる。また、コアネットワーク１０７は、他のサービスプロバイダによって所有および／または運用される他の有線または無線ネットワークを含み得るネットワーク１１２に対するアクセスを、ＷＴＲＵ１０２ａ、１０２ｂ、１０２ｃに提供することができる。
【００４７】
図１Ｅは、実施形態によるＲＡＮ１０５およびコアネットワーク１０９のシステム図である。ＲＡＮ１０５は、ＩＥＥＥ８０２．１６無線技術を採用して、エアインターフェース１１７を介してＷＴＲＵ１０２ａ、１０２ｂ、１０２ｃと通信するアクセスサービスネットワーク（ＡＳＮ）であり得る。以下にさらに論じられるように、ＷＴＲＵ１０２ａ、１０２ｂ、１０２ｃ、ＲＡＮ１０５、およびコアネットワーク１０９の異なる機能エンティティ間の通信リンクが、参照ポイントとして定義され得る。
【００４８】
図１Ｅに示されるように、ＲＡＮ１０５は、基地局１８０ａ、１８０ｂ、１８０ｃおよびＡＳＮゲートウェイ１８２を含むことができるが、ＲＡＮ１０５は、実施形態との整合性を保ちながら、任意の数の基地局およびＡＳＮゲートウェイを含み得ることが理解されよう。基地局１８０ａ、１８０ｂ、１８０ｃは、ＲＡＮ１０５内の特定のセル（図示せず）にそれぞれ関連付けられることが可能であり、エアインターフェース１１７を介してＷＴＲＵ１０２ａ、１０２ｂ、１０２ｃと通信するための１つまたは複数のトランシーバをそれぞれ含むことができる。一実施形態では、基地局１８０ａ、１８０ｂ、１８０ｃは、ＭＩＭＯ技術を実装することができる。従って、基地局１８０ａは、例えば、複数のアンテナを使用して、ＷＴＲＵ１０２ａに無線信号を送信すること、およびＷＴＲＵ１０２ａから無線信号を受信することができる。基地局１８０ａ、１８０ｂ、１８０ｃは、ハンドオフトリガ、トンネル確立、無線リソース管理、トラフィック分類、サービス品質（ＱｏＳ）ポリシー施行などのモビリティ管理機能を提供することもできる。ＡＳＮゲートウェイ１８２は、トラフィック集約ポイントの役割をすることができ、ページング、加入者プロファイルのキャッシング、コアネットワーク１０９に対するルーティングなどを担当することができる。
【００４９】
ＷＴＲＵ１０２ａ、１０２ｂ、１０２ｃとＲＡＮ１０５の間のエアインターフェース１１７は、ＩＥＥＥ８０２．１６仕様を実装するＲ１参照ポイントとして定義され得る。また、ＷＴＲＵ１０２ａ、１０２ｂ、１０２ｃのそれぞれは、コアネットワーク１０９との論理インターフェース（図示せず）を確立することができる。ＷＴＲＵ１０２ａ、１０２ｂ、１０２ｃとコアネットワーク１０９との間の論理インターフェースは、認証、許可、ＩＰホスト構成管理、および／またはモビリティ管理のために使用されることが可能なＲ２参照ポイントとして定義され得る。
【００５０】
基地局１８０ａ、１８０ｂ、１８０ｃのそれぞれの間の通信リンクは、基地局間のＷＴＲＵハンドオーバおよびデータの転送を容易にするためのプロトコルを含むＲ８参照ポイントとして定義され得る。基地局１８０ａ、１８０ｂ、１８０ｃとＡＳＮゲートウェイ１８２との間の通信リンクは、Ｒ６参照ポイントとして定義され得る。Ｒ６参照ポイントは、ＷＴＲＵ１０２ａ、１０２ｂ、１０２ｃのそれぞれに関連付けられたモビリティイベントに基づくモビリティ管理を容易にするためのプロトコルを含むことができる。
【００５１】
図１Ｅに示されるように、ＲＡＮ１０５はコアネットワーク１０９に接続され得る。ＲＡＮ１０５とコアネットワーク１０９の間の通信リンクは、例えば、データ転送およびモビリティ管理能力を容易にするためのプロトコルを含むＲ３参照ポイントとして定義され得る。コアネットワーク１０９は、モバイルＩＰホームエージェント（ＭＩＰ−ＨＡ）１８４、認証、許可、アカウンティング（ＡＡＡ）サーバ１８６、およびゲートウェイ１８８を含むことができる。上記の要素のそれぞれはコアネットワーク１０９の一部として示されているが、これらの要素のいずれも、コアネットワーク事業者以外のエンティティによって所有および／または運用されてもよいことは理解されよう。
【００５２】
ＭＩＰ−ＨＡは、ＩＰアドレス管理を担当することができ、異なるＡＳＮおよび／または異なるコアネットワークの間でＷＴＲＵ１０２ａ、１０２ｂ、１０２ｃがローミングすることを可能にすることができる。ＭＩＰ−ＨＡ１８４は、インターネット１１０などのパケット交換ネットワークに対するアクセスをＷＴＲＵ１０２ａ、１０２ｂ、１０２ｃに提供して、ＷＴＲＵ１０２ａ、１０２ｂ、１０２ｃとＩＰ対応のデバイスとの間の通信を容易にすることができる。ＡＡＡサーバ１８６は、ユーザ認証、およびユーザサービスをサポートすることを担当することができる。ゲートウェイ１８８は、他のネットワークとのインターワーキングを容易にすることができる。例えば、ゲートウェイ１８８は、ＰＳＴＮ１０８などの回線交換ネットワークに対するアクセスをＷＴＲＵ１０２ａ、１０２ｂ、１０２ｃに提供し、ＷＴＲＵ１０２ａ、１０２ｂ、１０２ｃと従来の陸線通信デバイスとの間の通信を容易にすることができる。また、ゲートウェイ１８８は、他のサービスプロバイダによって所有および／または運用される他の有線または無線ネットワークを含み得るネットワーク１１２に対するアクセスを、ＷＴＲＵ１０２ａ、１０２ｂ、１０２ｃに提供することができる。
【００５３】
図１Ｅには示されていないが、ＲＡＮ１０５が他のＡＳＮに接続されてよく、コアネットワーク１０９が他のコアネットワークに接続されてよいことは理解されよう。ＲＡＮ１０５と他のＡＳＮとの間の通信リンクは、ＲＡＮ１０５と他のＡＳＮとの間のＷＴＲＵ１０２ａ、１０２ｂ、１０２ｃのモビリティを調整するためのプロトコルを含むことができるＲ４参照ポイントとして定義され得る。コアネットワーク１０９と他のコアネットワークとの間の通信リンクは、ホームコアネットワークと訪問されたコアネットワークとの間のインターワーキングを容易にするためのプロトコルを含むことができるＲ５参照ポイントとして定義され得る。
【００５４】
図１Ａ〜図１Ｅおよび対応する図１Ａ〜図１Ｅの説明を考慮すると、ＷＴＲＵ１０２ａ〜ｄ、基地局１１４ａ〜ｂ、Ｎｏｄｅ  Ｂ１４０ａ〜ｃ、ＲＮＣ１４２ａ〜ｂ、ＭＳＣ１４６、ＳＧＳＮ１４８、ＭＧＷ１４４、ＣＧＳＮ１５０、ｅＮｏｄｅ−Ｂ１６０ａ〜ｃ、ＭＭＥ１６２、サービングゲートウェイ１６４、ＰＤＮゲートウェイ１６６、基地局１８０ａ〜ｃ、ＡＳＮゲートウェイ１８２、ＡＡＡ１８６、ＭＩＰ−ＨＡ１８４、および／またはゲートウェイ１８８などのうちの１つまたは複数に関して本明細書で説明された機能の１つもしくは複数または全部が、１つまたは複数のエミュレーションデバイス（図示せず）（例えば、本明細書で説明される機能の１つもしくは複数または全部をエミュレートするように構成された１つまたは複数のデバイス）によって実行されてもよい。
【００５５】
１つまたは複数のエミュレーションデバイスは、１つまたは複数のモダリティで１つもしくは複数または全部の機能を実行するように構成され得る。例えば、１つまたは複数のエミュレーションデバイスは、有線および／または無線通信ネットワークの一部として完全または部分的に実装／展開されている状態で１つもしくは複数または全部の機能を実行してもよい。１つまたは複数のエミュレーションデバイスは、有線および／または無線通信ネットワークの一部として一時的に実装／展開されている状態で１つもしくは複数または全部の機能を実行してもよい。１つまたは複数のエミュレーションデバイスは、有線および／または無線通信ネットワークの一部として実装／展開されていない状態で（例えば、試験室並びに／または展開されていない（例えば試験）有線および／もしくは無線通信ネットワークにおける試験シナリオ、並びに／または有線および／もしくは無線通信ネットワークの１つもしくは複数の展開された構成要素で実行される試験において）、１つもしくは複数または全部の機能を実行してもよい。１つまたは複数のエミュレーションデバイスは試験機器であってもよい。
【００５６】
以下の略称および／または頭字語が、本明細書で１つまたは複数の例示的な技法および／またはデバイスを表すために使用されることがある。
ＣｏＭＰ      協調マルチポイント送信／受信（Coordinated Multi-Point transmission/reception）
ＣＱＩ        チャネル品質インジケータ
ＣＳＩ        チャネル状態情報
Ｄ２Ｄ        デバイス間送信（例えばＬＴＥサイドリンク）
ＤＬ          ダウンリンク
ＤＭ−ＲＳ    復調参照信号
ＩＰ          インターネットプロトコル
ＬＡＡ        ライセンス補助アクセス（License Assisted Access）
ＬＢＴ        リッスンビフォアトーク（Listen-Before-Talk）
ＬＴＥ        ロングタームエボリューション（例えば、３ＧＰＰ  ＬＴＥ  Ｒ８以上から）
ＭＩＭＯ      多入力多出力
ＰＨＹ        物理層
ＱｏＳ        （物理層の観点からの）サービス品質
ＲＳ          参照信号
ＳＯＭ        スペクトルオペレーションモード（Spectrum Operation Mode）
ＴＴＩ        送信時間間隔（例えば、１つまたは複数のＴＩの整数倍で）
ＵＬ          アップリンク
Ｖ２Ｖ        車車間通信（Vehicle to vehicle communications）
Ｖ２Ｘ        車両通信（Vehicular communications）
ＷＬＡＮ      無線ローカルエリアネットワークおよび関係付けられた技術（ＩＥＥＥ８０２．ｘｘドメイン）
【００５７】
５Ｇエアインターフェースは、以下の使用事例、すなわち、改善されたブロードバンド性能（improved broadband performance：ＩＢＢ）、産業制御および通信（industrial control and communications：ＩＣＣ）、車両アプリケーション（Ｖ２Ｘ）、並びに／または大規模マシンタイプ通信（massive machine-type communications：ｍＭＴＣ）を可能にすることができる。これらの使用事例は、５Ｇエアインターフェースの期待される要件を推進し得る。
【００５８】
超低送信レイテンシをサポートすることは、５Ｇシステムの設計目標であり得る。（例えば、１ｍｓラウンドトリップ時間（ＲＴＴ）ほどに短い）エアインターフェースレイテンシは、送信時間間隔（ＴＴＩ）、例えば１ｍｓ未満のＴＴＩを利用し得る。例えば、（例えば、１ｍｓ  ＲＴＴほどに短い）エアインターフェースレイテンシは、ＴＴＩについて１００μｓと２５０μｓとの間のどこかで達成され得る。超低アクセスレイテンシ（例えば、初期システムアクセスから最初のユーザプレーンデータユニットの送信の完了までの時間）のサポートは、関心の対象となることがあり、５Ｇシステムの設計目標であり得る。超低アクセスレイテンシ（例えば、初期システムアクセスから最初のユーザプレーンデータユニットの送信の完了までの時間）のサポートは、関心の対象となることがあるが、優先度は低くなり得る。ＩＣＣおよび／またはＶ２Ｘは、１０ｍｓ未満のエンドツーエンド（ｅ２ｅ）レイテンシを必要とすることがある。
【００５９】
超高信頼性送信をサポートすることは、５Ｇシステムの設計目標であり得る。設計考慮事項（例えば、主要な設計考慮事項）は、送信信頼性、例えば、レガシＬＴＥシステムで可能なものよりも高い（例えば、かなり高い）送信信頼性であり得る。例えば、送信信頼性の目標は、９９．９９９％の送信成功および／またはサービス可用性であり得る。例えば０〜５００ｋｍ／ｈの範囲の速度のためのモビリティのサポートが考慮されることがある。ＩＣＣおよび／またはＶ２Ｘは、１０ｅ-6よりも小さいパケット損失率を必要とすることがある。
【００６０】
ＭＣＴ動作（例えば狭帯域動作）をサポートすることは、５Ｇシステムの設計目標であり得る。エアインターフェースは、狭帯域動作をサポートし（例えば、２００ＫＨｚ未満を使用するなどして狭帯域動作を効率的にサポートし）、バッテリ寿命を延ばし（例えば、最大１５年の自律性）、秒、時間などのアクセスレイテンシを伴う通信オーバヘッド（例えば、１〜１００ｋｂｐｓの範囲の低データレートなどの小規模および／またはまれなデータ伝送に関する）を最小限にする可能性がある。
【００６１】
変化するスペクトルオペレーティングモード（spectrum operating mode）をサポートすることは、５Ｇシステムの設計目標であり得る。ＷＴＲＵは、例えば１つまたは複数のスペクトルオペレーティングモード（ＳＯＭ）に従って、送信を実行するように構成され得る。例えば、ＳＯＭは、ＴＴＩ期間、初期電力レベル、ＨＡＲＱ処理タイプ、成功したＨＡＲＱ受信／送信の上限、送信モード、物理チャネル（例えばアップリンクおよび／もしくはダウンリンク）、波形タイプ、並びに／またはＲＡＴに従う（例えばレガシＬＴＥ、および／もしくは５Ｇ送信方法に従う）送信、のうちの１つもしくは複数を使用する送信、並びに／またはそれらのうちの１つもしくは複数によって定義される送信に対応することができる。ＳＯＭは、ＱｏＳレベル並びに／または関係付けられた態様（例えば、最大／目標レイテンシおよび／もしくは最大／目標ＢＬＥＲなど）に対応することができる。ＳＯＭは、スペクトル領域、並びに／または特定の制御チャネルおよび／もしくはその態様（例えば、探索空間、ＤＣＩタイプなど）に対応することができる。
【００６２】
（例えば、ＩＢＢについて）５Ｇエアインターフェースの要件を達成するために、スペクトル効率強化が使用され得る（例えば、必要とされ得る）。スペクトル効率（例えば、ＭＩＭＯ送信技法の使用により利用可能なユーザ毎のスループットおよび／またはエリアスループットの向上）は、例えば空間的な多入力多出力（ＭＩＭＯ）技法を使用して、改善され得る。ＭＩＭＯの初期導入は、ユーザ毎のスループットが改善され得るユーザ毎のＭＩＭＯ送信方法（例えばシングルユーザ（ＳＵ）ＭＩＭＯ）用であり得る。これは、マルチユーザ（ＭＵ）ＭＩＭＯおよび／または協調マルチポイント（ＣｏＭＰ）に拡張されてよく、その場合、１つもしくは複数または多数のアンテナが、例えば、１つもしくは複数または多数のユーザにサービングするため、および／またはエリアスループットを改善するために使用され得る。これらの技術のユーザは、例えばこれらのＭＩＭＯ送信方法の可用性から利益を得るように、それらが接続されるノード（例えばｅＮｏｄｅＢ、ＡＰなど）によって構成され得る。
【００６３】
大規模ＭＩＭＯの最近の発展は、例えば、多数のＴｘアンテナの使用を活用することで、ユーザ毎のＳＮＲを改善する（例えば、さらに改善する）ことができる。
【００６４】
マルチＲＡＴ干渉が説明され得る。図２に示されるように、他のＲＡＴによって共有されるスペクトルを使用するＲＡＴは、例えば異なるＲＡＴにわたるそのコンテンションベースのリソース共有に起因して、ＲＡＴ間干渉を被る可能性がある。例えば、ＬＴＥアンライセンスト（LTE unlicensed：ＬＴＥ−Ｕ）および／またはＷｉＦｉは、同じ周波数リソースを共有することができ、および／または、ＲＡＴのうちの１つまたは複数（例えば、ＬＴＥ−Ｕおよび／またはＷｉＦｉ）は、例えばスペクトルが他のＲＡＴによって占有されていない場合、スペクトルを使用することができる。例えば、隠れノード問題、信頼できないリッスンビフォアトークなどに起因して、ＲＡＴ間干渉が依然として存在することがある。
【００６５】
マルチＲＡＴ  ＭＩＭＯが説明され得る。ＭＩＭＯ利得を改善するために、例えば地理的に離れた位置にわたり分散された送信アンテナを利用することによって、協調マルチポイント（ＣｏＭＰ）が使用され得る。例えば、１つもしくは複数または多数の送信ポイント（例えば基地局）が、信号をモバイルに送信するために使用され得る。干渉信号が望ましい信号へ変わる可能性があり、並びに／またはモバイルにおける信号対干渉および／もしくは雑音比（ＳＩＮＲ）が改善される（例えば、大幅に改善される）可能性がある。大規模ＭＩＭＯ（例えば、多数のアンテナがＭＩＭＯ利得を改善するために使用され得る）は、近くの送信ポイントを使用して（例えば、空間チャネルのより高い自由度のために）アンテナの数を増大させることにより利得（例えば、大きな利得）を提供できることを示すことがある。
【００６６】
パーソナルＭＩＭＯデータトランシーバ改善のための、異なるＲＡＴの利用可能な近くの送信／受信ノードの使用は、例えば多くの理由により禁止されることがある。パーソナルＭＩＭＯデータトランシーバ改善のための、異なるＲＡＴの利用可能な近くの送信／受信ノードの使用は、以下の理由、すなわち、ＲＡＴの間（例えば、セルラからＷｉＦｉ、ＷｉＦｉからＢｌｕｅｔｏｏｔｈなど）の互換性のないエアインターフェース、互換性のない無線スタック、異なるＭＩＭＯベースのサービスの使用に関する整合性のないユーザポリシー、並びに／または、整合性のない能力および／もしくは手順を有する（例えば、ｅＮｏｄｅＢ、ＷｉＦｉ、および／またはＢｌｕｅｔｏｏｔｈビーコンが固有である、および／もしくは異なる可能性がある）近くのＭＩＭＯトランシーバの発見および／もしくは近くのＭＩＭＯトランシーバとの関連、のうちの１つまたは複数により禁止されることがある。
【００６７】
スペクトルは、ＬＴＥおよび／またはｎｅｗ  ＲＡＴ（ＮＲ）、例えば、５Ｇネットワークの展開のために使用されているＲＡＴによって共有され得る。本明細書で使用される場合、用語は、５Ｇ無線アクセスの使用を考慮した無線アクセス技術に関して参照され得る。ＮＲの例は、ＬＴＥおよび／または３ＧＰＰ  Ｎｅｗ  Ｒａｄｉｏ、ＬＴＥ  Ａｄｖａｎｃｅｄおよび／または３ＧＰＰ  Ｎｅｗ  Ｒａｄｉｏ超高信頼低遅延通信（Ultra Reliable Low Latency Communications：ＵＲＬＬＣ）、並びにＬＴＥおよび／または３ＧＰＰ  Ｎｅｗ  Ｒａｄｉｏ拡張モバイルブロードバンド（Enhanced Mobile Broadband：ｅＭＢＢ）を含み得る。ＮＲは、ＯＦＤＭベースまたは非ＯＦＤＭベースであり得る。例えば、スペクトルは、５Ｇネットワークの初期展開においてＬＴＥおよび／またはＮｅｗ  ＲＡＴ（ＮＲ）によって共有され得る。例えば、１つまたは複数のレガシＬＴＥ  ＷＴＲＵは、ＮＲをサポートする能力を有しないことがあるので、初期展開および／またはより後の展開は、レガシデバイスによるアクセスを可能にするために共有されたスペクトルを利用することがある。例えば、ＬＴＥネットワークがマクロエリアをカバーしてもよく、および／またはＮＲネットワークがホットスポットエリアをカバーしてもよく、そうすることで、例えばピークスループットを増大させる。
【００６８】
ＬＴＥとＮＲとの間のエリア（例えば、重ねられたエリア）内のＷＴＲＵは、ＲＡＴ（例えば、ＬＴＥおよび／またはＮＲなど他のＲＡＴ）からの干渉を受けることがあり、例えば、その結果として、システムおよび／またはＷＴＲＵスループットのパフォーマンス変化（例えば低下）をもたらすことがある。
【００６９】
ＷＴＲＵは、日和見ＭＩＭＯ送信および／または日和見ＭＩＭＯ受信を実行するように構成され得る。（例えば、ＲＡＴに関わりなく、近くの送信ノードを含む送信ノードを結び付けることができる）日和見ＭＩＭＯ（Ｏ−ＭＩＭＯ）は、例えば、ＭＩＭＯ技法の可能性（例えば最大の可能性）を活用することにより、ユーザーエクスペリエンスを改善することができる。Ｏ−ＭＩＭＯ、ＲＡＴ間ジョイント送信、ＲＡＴ間ジョイント通信、マルチＲＡＴ送信、マルチＲＡＴジョイント送信、動的ＲＡＴ選択、および／またはジョイントＲＡＴ送信という用語は、本明細書では交換可能に使用され得る。日和見ＭＩＭＯは、一般に、無線アクセス技術に関係なく、様々な送信ノード（例えば、１つもしくは複数または多数の送信アンテナ、対応するアンテナを有する１つもしくは複数または多数のトランシーバ）を利用して、ＭＩＭＯ送信技法を実行して送信性能を改善するＭＩＭＯ技法とみなされ得る。日和見ＭＩＭＯは、調整されたＲＡＴ間および／もしくはマルチＲＡＴ送信、調整されていないＲＡＴ間および／もしくはマルチＲＡＴ通信、モバイル補助調整通信（mobile assisted coordinated communications）、モバイル向けＲＡＴ、並びに／またはマルチＲＡＴ無線層スタックなどの技法を含み得る。日和見ＭＩＭＯは、グループベースの送信を容易にするために使用され得る。日和見ＭＩＭＯの使用は、ソーシャルおよび／またはコンテキスト認識ネットワーキングによって可能にされ得る。
【００７０】
グループベースの通信は、日和見ＭＩＭＯを使用して実行され得る。例えば、図３に示されるように、異なるＲＡＴを利用する送信ノードとの同時通信の機会は、グループベースであり得る。
【００７１】
マルチＲＡＴ日和見ＭＩＭＯに対する異なる要件に対処するために、１つまたは複数のグループが形成され得る。形成されることが可能なグループは、物理チャネルベースのグループ、パフォーマンスベースのグループ、ユーザ優先度ベースのグループ、サービスおよび／もしくはアプリケーションベースのグループ、並びに／または仮想ネットワークベースのグループを含み得る。物理チャネルベースのグループは、無線伝搬チャネルの特性に基づいて形成され得る。例えば、ＭＩＭＯチャネルのランク、ＲＳＳＩなどである。パフォーマンスベースのグループはパフォーマンス要件に基づいて形成され得る。
【００７２】
例えば、同期要件、スループット／データレート、サービス品質（ＱｏＳ）、レイテンシ要件などである。ユーザ優先度ベースのグループはユーザ優先度に基づいて形成され得る。サービスおよび／またはアプリケーションベースのグループは、アプリケーションおよび／またはサービスに基づいて形成され得る。例えば、ビデオグループ、ＶｏＩＰグループなどである。仮想ネットワークベースのグループは、システム（例えば企業システム）において望まれる仮想ネットワークに基づいて形成され得る。例えば、人事グループ、技術者グループなどである。１つもしくは複数またはそれぞれのグループは、いくつかの設定、例えば、セキュリティおよびブロードキャスト設定（例：それらの個々のセキュリティおよび／またはブロードキャスト設定）をカスタマイズすることが可能にされ得る。
【００７３】
日和見ＭＩＭＯグループは、干渉回避およびアライメント能力を強化するためにインタレースされてもよい。図４に示されるように、ソーシャルおよびコンテキスト認識ネットワーキングによって可能にされる日和見ＭＩＭＯが提供され得る。ソーシャルネットワークは、ユーザ対話、例えばそれらのモバイルデバイスとのユーザ対話の一部（例えば中心的部分）であり得る。この例は、グループでのソーシャル活動のための大きな集まりを開始および／または形成するためのＦａｃｅｂｏｏｋ（登録商標）、Ｔｗｉｔｔｅｒ（登録商標）、および他のプラットフォームの使用であり得る。これらのプラットフォームが使用され得るコンテキスト（例えばスポーツ会場など）は、密なネットワークにおけるモバイルデータの有用性に影響し得る。知識（例えば、モバイルソーシャルネットワークを介して利用可能な知識）を活用することにより、Ｏ−ＭＩＭＯの潜在的利益を可能にすることができる。
【００７４】
マルチＲＡＴ無線層スタックが提供され得る。マルチＲＡＴ／ＲＡＴ間通信をサポートする（例えば、同時にサポートする）、および／または既存のＲＡＴ（例えば、ＬＴＥ、８０２．１１など）と下位互換性のあるマルチＲＡＴ無線層スタック（例えば、新しいマルチＲＡＴ無線層スタック）が開示され得る。図５は、例示的なマルチＲＡＴ無線層スタックを示す。デバイスｎにおいて、アプリケーション層パケットは、１つまたは複数のトランスポートＲＡＴ層に渡され得る。トランスポート層は、例えば特定のプロトコルに基づいて、パケット（例えばそれ自信のパケット）を構築し、および／またはそれらを対応するＰＨＹ  ＲＡＴ層に渡す。マルチＲＡＴ無線層スタックの特徴は、１つもしくは複数または多数のＲＡＴについての複数の同時のアプリケーション、トランスポート、および／もしくは物理層インスタンス化をサポートすること、並びに／または複数の同時のＲＡＴをサポートするように拡張されたスケジューリングおよび／もしくは構成パラメータを含み得る。
【００７５】
調整されたＲＡＴ間通信が提供され得る。無線アクセス技術（ＲＡＴ）は、例えば、波形、波形のヌメロロジ、信号構造、トレーニングシーケンス、物理チャネル、および／または周波数スペクトルのうちの１つまたは複数を含み得るエアインターフェースとして示され得るが、これらに限定されない。
【００７６】
１つもしくは複数の送信ポイント（ＴＰ）が信号送信のために使用されてよく、並びに／または送信ポイントは同じおよび／もしくは異なる地理的位置にあってよい。送信ポイントは、基地局（ＢＳ）、Ｎｏｄｅ−Ｂ（ＮＢ）、拡張Ｎｏｄｅ−Ｂ（ｅＮＢ）、アクセスポイント（ＡＰ）、無線遠隔ヘッド（ＲＲＨ）、サービスノード、ノード、および／またはリレーと共に使用され得る（例えば、交換可能に使用され得る）。
【００７７】
１つもしくは複数のＴＰは、ダウンリンク送信、例えばユーザ機器（ＵＥ）のために使用されてよく、および／またはＴＰは、異なるＲＡＴを使用してよい。例えば、１つもしくは複数または多数のＴＰが、ＷＴＲＵに対するダウンリンク送信のために使用されてよく、第１のＴＰは第１のＲＡＴに基づくことができ、および／または第２のＴＰは第２のＲＡＴに基づくことができる。ＵＥ、ＷＴＲＵ、モバイル、モバイルデバイス、ハンドセット、デバイス、ＲＸデバイス、エンドデバイス、および／またはユーザデバイスという用語は、交換可能に使用され得る。
【００７８】
複数のＲＡＴからのジョイント通信（例えば送信および／または受信）が提供され得る。（例えば、異なるＲＡＴを使用する）１つまたは複数のＴＰが、同じまたは異なる信号をＷＴＲＵに送信することができる。下記の１つまたは複数を適用することができる。
【００７９】
ＷＴＲＵは、（例えば、第１のＲＡＴに基づいて）ダウンリンク信号を受信し、および／もしくは復号しようと試みることができ、並びに／またはＷＴＲＵは、ジョイント送信に使用される第２のＲＡＴに関係付けられた１つまたは複数のパラメータを受信することができる。第２のＲＡＴに関係付けられたパラメータは、送信ポイントインデックス、ＲＡＴインデックス、地理的位置に関係付けられた情報、および／または第２のＲＡＴにおいて送信される信号のスケジューリング情報（例えば、変調次数、符号化レート、周波数リソース、および／または時間リソース）のうちの１つまたは複数を含み得る。ジョイント送信は、同じ情報ブロックが第１のＲＡＴおよび第２のＲＡＴから送信され得ること、並びに／または異なる情報ブロックが第１のＲＡＴおよび第２のＲＡＴから送信され得ることのうちの１つまたは複数を含み得る。
【００８０】
ＷＴＲＵが、１つもしくは複数またはそれぞれのＲＡＴからのダウンリンク信号を受信し、および／もしくは復号しようと試みることができ、並びに／または、ＲＡＴ（例えば、１つもしくは複数またはそれぞれのＲＡＴ）についてのスケジューリング情報が、自身に含まれることができる。
【００８１】
１次ＲＡＴおよび／または２次ＲＡＴが、使用、決定、定義、および／または構成され得る。１次ＲＡＴは、システム構成を含むことができるブロードキャスト信号、並びに／またはアップリンクおよびダウンリンク制御および／もしくはデータ信号のうちの１つまたは複数を、ＷＴＲＵが送信および／または受信するために使用され得る。２次ＲＡＴは、アップリンクおよび／またはダウンリンク制御および／またはデータ信号をＷＴＲＵが送信および／または受信するために使用され得る。１次ＲＡＴは、初期アクセスに基づいて決定されてよく、および／または１つまたは複数の２次ＲＡＴは１次ＲＡＴを介して構成されてよい。１次ＲＡＴは、ライセンスされたスペクトルおよび／もしくはライセンスされていないスペクトルを使用できるセルラネットワークとすることができ、並びに／または、１つもしくは複数の２次ＲＡＴは、ライセンスされていないスペクトルを使用できる（例えば、ライセンスされていないスペクトルのみを使用できる）ホットスポットとすることができる。１次ＲＡＴは、ライセンスされたスペクトルで使用されるＲＡＴであってよく、および／または、ライセンスされていないスペクトルで使用される他のＲＡＴは、２次ＲＡＴであってよい。（例えば、ライセンスされたスペクトルにおける）第１のＲＡＴは１次ＲＡＴであってよく、および／または（例えば、ライセンスされていないスペクトルにおける）第２のＲＡＴは２次ＲＡＴであってよい。第１のＲＡＴおよび第２のＲＡＴは、同じＲＡＴまたは異なるＲＡＴであり得る。
【００８２】
ＷＴＲＵは、マルチＲＡＴジョイント送信／通信の能力を示すことができる。ＲＡＴをサポートするための能力リストがネットワークへ示され得る。
【００８３】
変調方式が決定されることができ、例えば、マルチＲＡＴ送信のために使用されるＲＡＴの数に基づいて決定されることができる。ＷＴＲＵは、例えば単一のＲＡＴがダウンリンク送信のために使用される場合、ＲＡＴから第１の変調方式を受信することができる。ＷＴＲＵは、例えば複数のＲＡＴがダウンリンク送信のために使用される場合、ＲＡＴから第２の変調方式を受信することができる。ＷＴＲＵは、（例えば、単一のＲＡＴが使用されるときに）特定のＲＡＴから第１の変調方式を受信することができると共に、ＷＴＲＵは、そのＲＡＴから第２の変調方式を受信することができ、単一のＲＡＴが使用されるときは、そのＲＡＴのために第１の変調方式が使用される。第２の変調方式は、第１の変調方式の位相が回転されたバージョンであり得る。位相回転値は、使用されるＲＡＴの数に基づいて決定され得る。
【００８４】
動的なＲＡＴ選択が提供され得る。調整セットが、ダウンリンク送信のためにＷＴＲＵと関連付けられたＴＰのセットを決定するために使用されることができ、および／または調整セットは、１つもしくは複数または多数のＲＡＴの１つまたは複数のＴＰを含むことができる。ＴＰの調整セットは、ＷＴＲＵ能力に基づいて決定されてよく、ＷＴＲＵ能力は、マルチＲＡＴ送信をサポートすること、ＲＡＴの送信および受信能力、並びに／またはサポートされるスペクトルなどを含み得る。ＴＰの調整セットは、ＷＴＲＵ能力に基づいて、ＲＡＴのうちの１つによってＷＴＲＵのために構成され得る。例えば、１つまたは複数のＲＡＴが調整ＲＡＴとして使用され得る。調整ＲＡＴは、ＴＰについての調整情報および／または制御情報を搬送することができる。ＴＰは、例えば１つまたは複数のＲＡＴ（例えば調整ＲＡＴ）を使用して、互いに通信することができる。ＴＰの調整セットを構成するＲＡＴは、１次ＲＡＴ、現在接続されているＲＡＴ、Ｃプレーンに使用されるＲＡＴ、および／またはダウンリンク制御チャネルに使用されるＲＡＴのうちの１つまたは複数であり得る。ＴＰの調整セットは、ブロードキャストチャネルによって構成され得る。ブロードキャストチャネルは、例えばマルチＲＡＴ送信に使用され得る送信ポイントに関係付けられた情報を含むことができる。
【００８５】
ＷＴＲＵは、調整セットにおいて構成、決定、および／または使用される１つまたは複数のＲＡＴの好ましいＲＡＴ情報を報告することができる。
【００８６】
ＷＴＲＵ受信機における選択は、以下の基準（例えば、Ｏ−ＭＩＭＯシステムに対して定義（例えば、汎用的に定義）され、および／またはＲＡＴ毎に比較され得る測定値であり得る）、すなわち、ＲＡＴの可用性および／またはＲＡＴのシステム効率のうちの１つまたは複数に基づくことができる。ＲＡＴの可用性は、特定の時間期間内でＲＡＴがデバイスにサービングし得るかどうかを含むことができる。ＲＡＴの可用性の例示的な測定値は、ＲＡＴのトラフィック負荷であり得る。ＲＡＴの可用性の別の例示的な測定値は、ＲＡＴに関係付けられた測定値であり得る。例えば、ＷｉＦｉシステムに関して、平均バックオフ時間が有効な測定値であり得る。ＲＡＴのシステム効率の例示的な測定値は、可能なサポートされるデータレートであり得る。サポートされるデータレートは、例えばＲＡＴ送信ポイントとＵＥとの間の物理リンクによって達成可能であり得る、データレートであってよい。サポートされるデータレートは、ＲＡＴ送信ポイントとＵＥとの間の距離、チャネル状態などに依存し得る。
【００８７】
１つまたは複数の送信ポイントは、選択されたＲＡＴ内で選択され得る。ＷＴＲＵは、ＲＡＴ内の１つまたは複数の送信ポイントに関連付けられ得る。２つ以上の送信ポイントとの関連付けがサポートされ得る。２つ以上の送信ポイントとの関連付けをサポートする能力は、制御または管理フレームで明示的に信号伝達され得る。送信ポイントの選択は、特定のＲＡＴにおいて定義された基準に従ってよい。
【００８８】
ＷＴＲＵは、例えば選択されたＲＡＴ内の２つ以上の送信ポイントが選択されたとき、例えば制御および／または管理フレームを使用して、ＲＡＴ送信ポイント（例えば、ＲＡＴ送信ポイントの１つもしくは複数またはそれぞれ）に、Ｏ−ＭＩＭＯシステムにおける関連付けられた送信ポイントの情報（例えば、関連付けられた送信ポイントのすべて）を信号伝達することができる。
【００８９】
複数の送信ポイントからのジョイント送信は、同じＲＡＴ内でサポートされ得る。同期および／または電力制御などは、例えばジョイント送信の前に実行され得る。
【００９０】
ＲＡＴは、ＲＡＴ間ハンドオーバなしにＷＴＲＵに対して選択されてよい。選択される、決定される、および／または構成されるは、交換可能に使用され得る。
【００９１】
制御情報が、ライセンスされたスペクトルで使用される第１のＲＡＴ（例えば１次ＲＡＴ）において送信されて、例えば、ライセンスされていないスペクトルで使用される第２のＲＡＴ（例えば２次ＲＡＴ）の選択されたＲＡＴを示すことができる。制御情報は、第２のＲＡＴにおけるデータチャネルのスケジューリング情報、第２のＲＡＴの選択されたＲＡＴ（例えばＲＡＴインデックス）、第２のＲＡＴの部分的情報、および／またはＲＡＴに関連付けられ得る送信ポイントインデックスのうちの１つまたは複数を含み得る。制御情報は、上位層シグナリング、物理層シグナリング、および／またはブロードキャストなどを介して信号伝達され得る。
【００９２】
マルチＲＡＴ送信のためのスペクトルにおいて送信され得る共通制御チャネルが、マルチＲＡＴ送信のために使用されるＲＡＴの間で定義され得る。共通制御チャネルは、ＲＡＴ選択に関係付けられた制御情報のために使用され得る。
【００９３】
共通制御チャネルは、定期的におよび／または折に触れて構成された時間／周波数リソースで送信され得る。共通制御チャネルは、マルチＲＡＴ送信に使用されるＲＡＴの１つであり得るＲＡＴに基づくことができる。共通制御チャネルは、マルチＲＡＴ送信に使用されるＲＡＴの１つに基づくことができる。共通制御チャネルに使用されるＲＡＴは、マルチＲＡＴ送信に使用されるＲＡＴのうちのＲＡＴが最短のＴＴＩ長および／もしくはより広いサブキャリア間隔などを有し得ること、並びに／またはＲＡＴがセルラネットワークのために使用され得ること、のうちの１つまたは複数に基づいて決定され得る。
【００９４】
トレーニングシーケンスが、選択されたＲＡＴを示すために使用され得る。トレーニングシーケンス、参照信号、ビーコン、および／またはプリアンブルは、交換可能に使用され得る。トレーニングシーケンスは、マルチＲＡＴ送信に使用されるＲＡＴ内で使用され得る。トレーニングシーケンスのセットが定義および／もしくは使用されてよく、並びに／または、１つもしくは複数またはそれぞれのトレーニングシーケンスが特定のＲＡＴに関連付けられ得る。ＷＴＲＵは、トレーニングシーケンスインデックスを無分別に復号することができ、および／またはＷＴＲＵは、検出されたトレーニングシーケンスインデックスに基づいてＲＡＴを決定することができる。トレーニングシーケンスは、位置（例えば、知られている位置）で送信され得る。例えば、トレーニングシーケンスは、ＴＴＩ、サブフレーム、および／または無線フレームなどの始まりで送信され得る。
【００９５】
ＷＴＲＵ位置補助されたジョイントビームフォーミング／プリコーディング（WTRU location assisted joint beamforming/precoding）が提供され得る。ＷＴＲＵ位置情報（例えばポジショニング）が、１つもしくは複数または多数の送信ポイントから、例えばビームフォーミングのために使用され得る。下記の１つまたは複数を適用することができる。ＷＴＲＵ地理的位置情報が、例えば１つもしくは複数または多数の送信ポイントからの送信ビームフォーミングを補助するために報告され得る。ＷＴＲＵは、１つもしくは複数またはそれぞれの送信ポイントの好ましいビームを選択するために、異なるＲＡＴを使用し、１つもしくは複数または多数の送信ポイントからのチャネルを測定しなくてよいことがある（例えば測定する必要がないことがある）。ＷＴＲＵ地理的位置情報は、（例えば、１つもしくは複数または多数の送信ポイントに関連付けられた）１つもしくは複数のトレーニングシーケンスのタイミング遅延、１つもしくは複数のトレーニングシーケンスの間のタイミング差、１つもしくは複数または多数の送信ポイントに関連付けられた１つもしくは複数のトレーニングシーケンスの受信された電力、並びに／または１つもしくは複数のトレーニングシーケンスの間の受信された電力差のうちの１つまたは複数を含み得る。
【００９６】
ＷＴＲＵは、（例えば、位置変化が予め定義された閾値よりも大きい場合に）ＷＴＲＵが地理的位置変化を（例えば自律的に）決定することに基づいて、地理的位置（例えばポジショニング）変化を報告することができ、例えば、トレーニングシーケンスのタイミング遅延変化が予め定義された閾値よりも大きい場合、ＷＴＲＵはポジショニング変化を報告することができ、並びに／または、ＷＴＲＵは周期的に報告し、周期性は、上位層シグナリングを介して構成され、および／もしくは決定され得る（例えば、ＷＴＲＵモビリティに基づいて決定され得る）。
【００９７】
例示的な調整されたＲＡＴ間通信が図６に示され得る。この例では、ＲＡＴ１内のＲＸがＲＡＴ３パケットを受信する能力を有することができる。ＲＡＴ１内のＴＸは、ＲＸにジョイントして送信するためにＲＡＴ３内のＴＸと調整することができる。
【００９８】
調整されていないＲＡＴ間通信が提供され得る。調整されていないＲＡＴ間通信は、複数のＲＡＴが調整する必要がなくてよい。図７に示されるように、１つのＲＡＴ内で通信しているノードのペアが、別のＲＡＴにおける送信を認識し得る。望ましいペアは、例えばＯ−ＭＩＭＯで、例えば他のＲＡＴにおける送信を干渉として扱うのでなく、干渉送信を監視し、および／または（例えば意図的に）信号を分離することができる。モバイルは、ＭＩＭＯ受信機との干渉の除去／抑制／分離、および／または、調整されていない干渉を抑制するためのチャネル推定のための１つもしくは複数または多数のＲＡＴに対するユニバーサルな参照／トレーニング信号、のうちの１つまたは複数を使用してＲＡＴ間干渉を処理することができる。ＭＩＭＯ受信機との干渉の除去／抑制／分離は、例えば、１つのＲＡＴ内のモバイルが別のＲＡＴで送信された信号を理解できないことがある場合、干渉している信号のブラインドチャネル推定に基づくことができ、並びに／または、ＭＩＭＯ受信機との干渉の除去／抑制／分離は、例えば、１つのＲＡＴ内のモバイルが別のＲＡＴで送信された信号を理解できる場合、干渉信号のパイロット支援チャネル推定を利用することができる。干渉ＲＡＴシステムのパイロット支援チャネル推定は、望ましい送信の前に実行され得る。（例えばチャネル推定のための）１つもしくは複数または多数のＲＡＴのためのユニバーサルな参照／トレーニング信号が、調整されていない干渉を抑制することができる。
【００９９】
モバイル補助調整通信が提供され得る。１つもしくは複数または多数のＲＡＴからの１つまたは複数の送信ポイントが、ＲＡＴ間干渉を低減するように調整することができる。ＲＡＴ間干渉回避が使用され得る。
【０１００】
ＷＴＲＵは、情報（例えば、ＲＡＴ間干渉回避に関係付けられた情報）を、１つのＲＡＴに関連付けられた、および／または１つもしくは複数または多数のＲＡＴに関連付けられた１つまたは複数の送信ポイントに報告することができる。ＲＡＴ間干渉回避に関係付けられた情報は、干渉しているＲＡＴ（例えば、干渉しているＲＡＴインデックスであり、ＲＡＴインデックスのセットがブロードキャストチャネルを介して構成されてよく、ＷＴＲＵが１つまたは複数の干渉しているＲＡＴインデックスを示してよい）、干渉している送信ポイント（例えば、示された干渉しているＲＡＴの送信ポイントインデックス）、および／または干渉しているＲＡＴの干渉しているビーム方向（例えば、１つまたは複数の干渉しているビーム方向は、対応する送信ポイントおよび／またはＲＡＴと共に報告され得る）のうちの１つまたは複数を含み得る。
【０１０１】
ＷＴＲＵは、好ましい干渉ヌリング（nulling）リソースを報告および／または要求することができる。例えば、ＷＴＲＵは、特定の送信ポイントからリソース（例えば、時間、周波数、および／または空間リソースなどの特定の物理リソース）のヌリングを要求することができる。干渉ヌリングは、特定の物理リソースに信号送信がないこと、信号送信電力が特定の閾値よりも低いこと、および／または信号受信電力が特定の閾値よりも低いことのうちの１つまたは複数を含み得る。干渉ヌリングリソースに関係付けられた情報は、ＲＡＴインデックス、時間期間、周波数位置、周波数帯域幅、ビーム方向（例えば、プリコーディングベクトル／行列インデックス）、および／または送信ポイントインデックスのうちの１つまたは複数を含み得る。
【０１０２】
調整は、ＲＡＴ間で実行され得る。調整は、モバイルデバイスによって補助され得る。図８に示されるように、モバイルデバイス（例えば、図に示されたＲＸデバイス）は、ＲＡＴ１とＲＡＴ２の両方の範囲にあり得る。モバイルデバイスは、ＲＡＴ１および／またはＲＡＴ２において通信する能力があり得る。モバイルデバイスは、（例えば、望ましいＲＡＴ／ＲＡＴ信号、選択されたＲＡＴ／ＲＡＴ信号、好ましいＲＡＴ／ＲＡＴ信号などとして）１つのＲＡＴを選択し、別のＲＡＴを別の状態（例えば、選択されていないＲＡＴ／ＲＡＴ信号、好ましくないＲＡＴ／ＲＡＴ信号、またはヌルにされたＲＡＴ／ＲＡＴ信号など）に設定することができる。図９に示されるように、例えば、モバイル向けＲＡＴが提供され得る。
【０１０３】
送信ポイントは、１つまたは複数のＲＡＴを送信および／または受信する能力を有することができる。例えば、１つまたは複数の送信ポイントがダウンリンク信号をＷＴＲＵに送信するために使用されてよく、および／または送信ポイントの動作モードがＷＴＲＵ能力に基づいて決定されてよい。
【０１０４】
動作モードは、送信ポイントで使用されるＲＡＴであり得る。例えば、送信ポイントが２つのＲＡＴを利用する能力がある場合、第１の動作モードは、第１のＲＡＴに基づく信号送信／受信であってよく、および／または第２の動作モードは、第２のＲＡＴに基づく信号送信／受信であってよい。
【０１０５】
ＷＴＲＵ能力（例えばＷＴＲＵプリファレンス）は、予め定義され得るトレーニングシーケンスおよび／もしくは（たとえば、１つもしくは複数またはそれぞれの）トレーニングシーケンスのセットがＲＡＴに関連付けられ得ること、ＷＴＲＵが、ＷＴＲＵ  ＲＡＴ能力に基づいて、知られている時間／周波数リソースにおいて能力があり得るＲＡＴ  ＷＴＲＵに関連付けられたトレーニングシーケンスを送ることができること、ならびに／または、ＷＴＲＵが、トレーニングシーケンスが送信されたアップリンクリソースに関連付けられた知られている時間／周波数リソース内のダウンリンク信号を、監視し、受信し、および／または復号しようと試みることができること、のうちの１つまたは複数を使用して信号伝達され得る。ＷＴＲＵがトレーニングシーケンスを送信するとき、ＷＴＲＵは、ＲＡＴのセットのうちの１つのＲＡＴを示すために使用されるトレーニングシーケンス（たとえば、知られているトレーニングシーケンス）のセットの１つを選択することができる。トレーニングシーケンスのうちの１つまたは複数（たとえば、ＲＡＴ  ＩＤシーケンス）が、１つまたは複数のＲＡＴを表すために使用され得る。ＷＴＲＵは、始めに１つまたは複数のＲＡＴで動作することができる。ＷＴＲＵは、ＲＡＴ  ＩＤを特定するために、知られている時間／周波数リソース（たとえば、３ＧＰＰ  ＲＡＴでの最初のＴＴＩ、および／またはＷｉＦｉ  ＲＡＴでのビーコンフレーム）を調べることができる。トレーニング信号を送信するために、および／またはトレーニング信号の送信に基づいて受信されたダウンリンク制御情報を受信するために使用される知られている時間／周波数リソースは、ＲＡＴに依存し得る。ダウンリンク信号は、トレーニングシーケンスから示されるＲＡＴに基づいて決定され得る。ＷＴＲＵがダウンリンク信号（たとえば、知られているダウンリンクリソースにおいて示されたＲＡＴに関連付けられたダウンリンク信号）を受信しない場合、ＷＴＲＵは、たとえば次の時間に、トレーニングシーケンス（たとえば、別のトレーニングシーケンス）を送ることを試みることができる。
【０１０６】
ＷＴＲＵ能力表示のためのトレーニングシーケンス送信用の知られている時間／周波数リソースは、マルチＲＡＴ送信に使用される予め定義された構成（例えば、ＲＡＴに対して共通して使用される予め定義された構成）、および／または共通制御信号からの表示（例えば、１次ＲＡＴで送信され、および／または１つもしくは複数または多数のＲＡＴにわたって共通して使用され得る表示）に基づいて、決定され得る。本明細書の１つまたは複数の例では、トレーニングシーケンスおよび／またはプローブ信号は交換可能に使用され得る。
【０１０７】
送信ポイントが、（例えば、２つの異なるＲＡＴの間のトランスレータとして）使用され得る。例えば、送信ポイントがＷＴＲＵとｅＮＢとの間に配置され、ｅＮＢとＷＴＲＵが信号送信および／または受信のために異なるＲＡＴを使用する場合、送信ポイントは、ｅＮＢおよび／またはＷＴＲＵ（例えば、ｅＮＢおよび／またはＵＥの両方）と通信して、ｅＮＢからＵＥまたはその逆に情報を搬送することができる。
【０１０８】
ＷＴＲＵは、第１のＲＡＴと第２のＲＡＴ（例えば、ＬＴＥ  ＲＡＴとＮＲ  ＲＡＴ）の間で調整された通信（例えば、送信および／または受信）を実行するように構成され得る。
【０１０９】
調整されたＬＴＥおよびＮＲ送信は、例えば、ＬＴＥとＮＲとの間の干渉を処理するために使用され得る。例えば、調整されたＬＴＥおよびＮＲ送信は、例えばスペクトルの共有に起因するＬＴＥとＮＲとの間の干渉を処理するために使用され得る（ここで、例えば、ＬＴＥとＮＲにより共有されたスペクトルは、ＮＲのためのシステムスペクトルの全部または一部であり得る）。
【０１１０】
第１のＲＡＴ、ＬＴＥ、ＬＴＥ−Ａ、ＬＴＥ−Ａ  ｐｒｏ、帯域幅制限されたＲＡＴ（例えば、制限された帯域幅を有するＲＡＴ）、レガシＲＡＴ、および／または既存のＲＡＴという用語は、交換可能に使用され得る。下記のうちの１つまたは複数を第１のＲＡＴに対して適用することができる。例えば、ＲＡＴ（例えば第１のＲＡＴ）に関して、単一のコンポーネントキャリアの最大システム帯域幅が、特定の帯域幅（例えば、２０ＭＨｚ）に制限され得る。ＲＡＴ（例えば第１のＲＡＴ）に関して、１つまたは複数のコンポーネントキャリアが、最大の単一のコンポーネント帯域幅（例えば、２０ＭＨｚ）よりも広い帯域幅に対して使用され得る。ＲＡＴ（例えば第１のＲＡＴ）に関して、ダウンリンク送信の波形は、ＯＦＤＭＡに基づくことができ、および／またはアップリンク送信の波形は、ＳＣ−ＦＤＭＡ（例えば、および／または離散フーリエ変換拡散直交周波数分割多重（ＤＦＴ−ｓ−ＯＦＤＭ））で使用されることができる。ＲＡＴ（例えば第１のＲＡＴ）に関して、サブキャリア間隔は、１５ｋＨｚおよび／または７．５ｋＨｚとすることができる。ＲＡＴ（例えば第１のＲＡＴ）に関して、送信アンテナポートの数（例えば最大数）は、数（例えば、３２および／または６４個のアンテナポート）に制限され得る。ＲＡＴ（例えば第１のＲＡＴ）に関して、ＦＤＭＡ、ＴＤＭＡ、および／またはＳＤＭＡを含み得る（例えば、ただしこれらに限定されない）直交リソースベースの多元接続方式が使用され得る。
【０１１１】
例えば、直交リソースベースの多元接続方式において、１つもしくは複数または多数のＷＴＲＵが、時間／周波数リソース（例えば、同じ時間／周波数リソース）を共有することができ、および／または、直交空間リソース（例えばアンテナポート）が、多元接続方式（例えば、空間分割多元接続（ＳＤＭＡ）と呼ばれることがある）としてＷＴＲＵによって使用され得る。直交リソースベースの多元接続方式において、１つまたは複数のＷＴＲＵは、ＴＴＩ（例えば、同じＴＴＩ）で周波数リソース（例えば、異なる周波数リソース）を割り振られてよく、これは、周波数分割多元接続（ＦＤＭＡ）と呼ばれることがあり、また、１つまたは複数のＷＴＲＵは、時間リソース（例えば、異なる時間リソース）を割り振られてよく、これは、時間分割多元接続（ＴＤＭＡ）と呼ばれることがある。直交リソースベースの多元接続方式において、ＦＤＭＡ、ＴＤＭＡ、および／またはＳＤＭＡのうちの１つまたは複数が、同時に使用され得る。ＲＡＴに関して、同じ波形および／またはヌメロロジ（numerology）がシステム帯域幅内で使用され得る。
【０１１２】
第２のＲＡＴ、ＮＲ、５Ｇ  ＲＡＴ、および／またはより広い帯域幅ＲＡＴ、より多数のアンテナポートを有するＲＡＴ、より広い帯域幅を有するＲＡＴ、および／またはＬＴＥエボリューションＲＡＴという用語は、交換可能に使用され得る。下記のうちの１つまたは複数を第２のＲＡＴに対して適用することができる。ＲＡＴ（例えば第２のＲＡＴ）に関して、コンポーネント（例えば単一のコンポーネント）キャリアに対するシステム帯域幅（例えば最大システム帯域幅）が第１のＲＡＴよりも広くてよい。ＲＡＴ（例えば第２のＲＡＴ）に関して、ダウンリンク送信の波形が、１つまたは複数の波形候補内で決定、構成、選択、および／または使用され得る。例えば、１つまたは複数の波形は予め定義されてよく、および／または１つまたは複数の波形は、特定の時間／周波数リソースに対して選択および／または決定されてよい。ＲＡＴ（例えば第２のＲＡＴ）に関して、ヌメロロジ（例えば、サブキャリア間隔、ＣＰ長、および／またはＴＴＩ長）が、１つまたは複数のヌメロロジ候補内で決定、構成、選択、および／または使用され得る。ＲＡＴ（例えば第２のＲＡＴ）に関して、送信アンテナポートの最大数は、第１のＲＡＴのそれよりも大きくてよい。ＲＡＴ（例えば第２のＲＡＴ）に関して、非直交リソースベースの多元接続方式および／または直交リソースベースの多元接続方式が使用され得る。非直交リソースベースの多元接続方式は、電力ベースの非直交多元接続（power-based Non-Orthogonal Multiple Access：Ｐ−ＮＯＭＡ）を含むことができ、Ｐ−ＮＯＭＡでは、１つもしくは複数または多数のＷＴＲＵ（例えば、および／または、１つもしくは複数または多数の層）が、電力レベル（例えば、異なる電力レベル）でスケジューリングされることができ、および／または、（例えば、より低い電力レベルでスケジューリングされ得る）ＷＴＲＵが、より高い電力レベルを有するＷＴＲＵのスケジューリング情報について通知されることができる。
【０１１３】
例えば、非直交リソースベースの多元接続方式は、階層的コンスタレーションベースのＨＯＭＡ（Hierarchical constellation based NOMA：ＨＣ−ＮＯＭＡ）を含むことができ、ＨＣ−ＮＯＭＡでは、受信されたシンボルコンスタレーションの復調がＷＴＲＵに応じて異なることが可能である。非直交リソースベースの多元接続方式は、インターリーブ分割多元接続（Interleave division multiple access：ＩＤＭＡ）を含むことができ、ＩＤＭＡでは、ＷＴＲＵのための信号（例えば、および／または、１つもしくは複数または多数の層送信のための層）が、ＷＴＲＵ固有の（例えば、および／または層固有の）インターリーバに関連付けられることができ、それは、ランダムインターリーブ多元接続（random interleaved multiple access：ＲＩＭＡ）と呼ばれることがある。非直交リソースベースの多元接続方式は、スパース符号多元接続（Sparse code multiple access：ＳＣＭＡ）を含むことができ、ＳＣＭＡでは、ＷＴＲＵのための信号（例えば、および／または、１つもしくは複数または多数の層送信のための層）が、ＷＴＲＵ固有の（例えば、および／または層固有の）拡散符号に関連付けられることができ、それは符号分割多元接続（ＣＤＭＡ）に類似し得る。非直交リソースベースの多元接続方式は、リソース拡散多元接続（Resource spread multiple access：ＲＳＭＡ）を含むことができ、ＲＳＭＡでは、ＷＴＲＵのための信号（および／または、１つもしくは複数または多数の層送信のための層）が、ＷＴＲＵ固有の（例えば、および／または層固有の）リソース拡散符号に関連付けられることができる。リソース拡散符号は、符号化されたデータシンボルを時間および／または周波数リソースのセット内へマップすることができる。
【０１１４】
第２のＲＡＴに関して、波形、ヌメロロジ、フレーム構造、および／または多元接続方式は、時間および／または周波数リソースの部分の１つもしくは複数またはそれぞれについて、決定（例えば個々に決定）され得る。例えば、１つまたは複数の時間および／もしくは周波数リソース区画が、システム帯域幅内で定義、構成、および／もしくは予め決定されることができ、並びに／または、波形、ヌメロロジ、フレーム構造、および／もしくは多元接続方式が、時間（例えば、１つもしくは複数またはそれぞれの時間）および／もしくは周波数リソース区画について決定されることができる。
【０１１５】
ＷＴＲＵタイプ（例えば、第１のＷＴＲＵタイプ）は、単一のＲＡＴ（例えば、第１のＲＡＴおよび／もしくは第２のＲＡＴ）と通信する能力を有することができ、並びに／または、第２のＷＴＲＵタイプは、１つもしくは複数のＲＡＴ（例えば、第１のＲＡＴおよび第２のＲＡＴ）と通信する能力を有することができる。
【０１１６】
第１のＷＴＲＵタイプは、第２のＲＡＴ信号を受信または送信する能力を有しなくてよいレガシＬＴＥ  ＷＴＲＵであり得る。第２のＷＴＲＵタイプは、ＬＴＥ信号および／またはＮＲ信号を受信および／または送信する能力を有することができるＮＲ  ＷＴＲＵであり得る。
【０１１７】
ＷＴＲＵは、サポート可能なＲＡＴの能力（および／またはＷＴＲＵタイプ）をネットワークに対して示すことができる。例えば、第２のＷＴＲＵタイプは、第１のＲＡＴおよび／または第２のＲＡＴをサポートする能力を示すことができる。
【０１１８】
ＷＴＲＵは、下記の１つまたは複数を使用することによってサポート可能なＲＡＴを示すことができる。ＷＴＲＵは、上位層シグナリングを使用することによってサポート可能なＲＡＴを示すことができる。上位層シグナリングは、初期アクセス手順中に使用され得る。ＷＴＲＵは、例えば、予約されたアップリンク信号リソースを使用することによってサポート可能なＲＡＴを示すことができる。例えば、アップリンクリソース（例えば、ＰＲＡＣＨリソースおよび／またはサウンディング参照信号）が、第１のＷＴＲＵタイプのために予約されてよく、アップリンクリソース（例えば、第１のＷＴＲＵタイプのためのリソースと重ならないような別のアップリンクリソース）が、第２のＷＴＲＵタイプのために予約されてよい。ＷＴＲＵは、ＷＴＲＵタイプを示すために、予約されたアップリンクリソースのうちの１つまたは複数を決定することができる。ＷＴＲＵは、例えば、ｅＮＢ（例えば、サポート可能なＲＡＴ表示報告の報告をトリガし得るｅＮＢ）を使用することによって、サポート可能なＲＡＴを示すことができる。例えば、ｅＮＢは、上位層シグナリングおよび／または物理層シグナリング（例えばダウンリンク制御情報）を介してＷＴＲＵタイプを報告するようにＷＴＲＵに要求することができる。ＷＴＲＵは、ＷＴＲＵタイプ（および／またはサポート可能なＲＡＴ）を示す（例えば、暗黙的に示す）ことができるＷＴＲＵカテゴリを使用することによって、サポート可能なＲＡＴを示すことができる。
【０１１９】
ＷＴＲＵは、単一のＲＡＴ（例えば、第１のＲＡＴおよび／もしくは第２のＲＡＴ）並びに／または１つもしくは複数または多数のＲＡＴ（例えば、第１のＲＡＴおよび／もしくは第２のＲＡＴ）に関連付けられ得る送信方式（例えば、好ましい送信方式）を示すことができる。送信方式表示は、干渉レベル表示に基づくことができる。例えば、ＷＴＲＵは、異なるＲＡＴからの信号の干渉レベルを報告することができる。第２のＷＴＲＵタイプを有するＷＴＲＵは、ＲＡＴ（例えば第２のＲＡＴ）を用いてサービングされてよく、および／または、そのＷＴＲＵは、ＲＡＴ（例えば、第１のＲＡＴなどの別のＲＡＴ）からの信号強度を測定することができ、測定された信号強度を報告することができる。他のＲＡＴからの測定された信号強度は、ＲＡＴ間干渉と呼ばれることがある。信号強度は、参照信号から測定され得る。ＷＴＲＵは、構成された場合、ＲＡＴ間干渉を報告することができる（例えば、ＲＡＴ間干渉を周期的に報告することができる）。ＷＴＲＵは、ＲＡＴ間干渉を報告するようにトリガされ得る。例えば、ｅＮＢは、ＲＡＴ間干渉報告をトリガすることができる。ＲＡＴ間干渉レベルが予め決定された閾値よりも高い場合、ＷＴＲＵはＲＡＴ間干渉レベルを報告することができる。
【０１２０】
ＷＴＲＵは、調整セット内の好ましいＲＡＴを示すことができる（例えば、第１のＲＡＴおよび／または第２のＲＡＴが調整セットにおいて構成され得る）。ＷＴＲＵは、初期アクセス中に好ましいＲＡＴを示すことができる。ＷＴＲＵは、セル選択またはセル再選択のために物理セルＩＤによって好ましいＲＡＴを示すことができる。
【０１２１】
（例えば、ＷＴＲＵのための信号を送信および／または受信するように調整することができる）１つまたは複数のＲＡＴは、調整セットと呼ばれることがある。ＷＴＲＵは、調整セット内の１つまたは複数のＲＡＴから１つまたは複数の信号を受信することができる。例えば、第１のＲＡＴ（例えばＬＴＥ）および第２のＲＡＴ（例えばＮＲ）が調整セット内に存在する場合、ＷＴＲＵは、第１のＲＡＴおよび／または第２のＲＡＴから信号を受信することができる。調整セットは、ＷＴＲＵ固有の様式で構成され得る。例えば、調整セットは、ＲＡＴ間干渉測定値に基づいて、ＷＴＲＵに対して構成され得る。調整セットは、例えば第２のＲＡＴ内のブロードキャストチャネルから示され得る。調整セットは、第２のＷＴＲＵタイプのために使用されてよい（例えば、第２のＷＴＲＵタイプのみのために使用されてよい）。
【０１２２】
ＷＴＲＵは、マルチＲＡＴ  ＣｏＭＰのためのリソース共有を利用するように構成され得る。例えば、ＷＴＲＵは、部分的干渉回避などの技法を利用してよい。部分的干渉回避技法は、例えば、第１のＲＡＴ信号（例えば、またはその部分）と第２のＲＡＴ信号（例えば、またはその部分）との間で共有される送信リソースの量を制限することを含むことができる。
【０１２３】
例えば、ＲＡＴ（例えば第２のＲＡＴ）のヌメロロジが、（例えば、第１のＲＡＴおよび／または第２のＲＡＴによって共有される時間／周波数リソースに関して、）第１のＲＡＴのヌメロロジに基づいて決定され得る。例えば、（例えば、第１のＲＡＴによって共有される時間／周波数リソースに関する）ＲＡＴ（例えば第２のＲＡＴ）のサブキャリア間隔は、第１のＲＡＴのサブキャリア間隔の整数倍に基づくことができ、逆も同様であり得る。第２のＲＡＴのＴＴＩ長は、第１のＲＡＴのＴＴＩ長に基づいて決定され得る。第２のＲＡＴのＴＴＩ長は、第１のＲＡＴのＴＴＩ長の整数倍として選択、決定、および／または使用されることができ、逆も同様であり得る。
【０１２４】
異なるＲＡＴ間の物理信号の優先度規則が、予め定義され、使用され、および／または構成され得る。例えば、第１のＲＡＴにおける同期信号が、第２のＲＡＴにおける物理信号（例えば、全ての物理信号）に対して優先され得る。下記の規則（例えば、優先度規則）のうちの１つまたは複数を適用することができる。優先度規則は、例えば、第２のＲＡＴにおけるユニキャストトラフィックに関係付けられた信号（例えば、ユニキャストトラフィックのための制御およびデータチャネル）よりも高い優先度を有することができる、第１のＲＡＴにおけるブロードキャスト信号（例えばＰＢＣＨ）を含むことができる。優先度規則は、第２のＲＡＴにおけるユニキャストトラフィックに関係付けられた信号よりも高い優先度を有することができる、第１のＲＡＴにおけるセル固有の参照信号（例えばＣＲＳ）を含むことができる。第１のＲＡＴにおけるセル固有の参照信号は、例えば第２のＲＡＴにおける制御チャネルと同じ優先度を有しながら、第２のＲＡＴにおけるデータチャネルよりも高い優先度を有することができる。優先度規則は、第２のＲＡＴにおけるデータチャネルよりも高い優先度を有することができる、第１のＲＡＴにおける復調参照信号（例えばＤＭ−ＲＳ）を含むことができる。優先度規則は、第１のＲＡＴにおけるユニキャストトラフィックに関係付けられた信号（例えば、ＰＤＳＣＨ、ＰＵＳＣＨ、および／またはＰＤＣＣＨ）よりも高い優先度を有することができる、第２のＲＡＴにおける測定参照信号を含むことができる。
【０１２５】
例えば、ＲＡＴ（例えば、異なるＲＡＴ）における１つまたは複数（例えば２つ）の信号が時間／周波数リソースにおいて重ねられる場合、より低い優先度の信号がパンクチャされ得る。（例えば、１つもしくは複数または多数のＲＡＴについての信号を受信および／または送信する能力を有することができる）ＷＴＲＵは、時間／周波数リソースにおける１つもしくは複数または多数のＲＡＴからの信号を受信することができる。１つもしくは複数のＲＡＴからの信号は、送信（例えば、同時に送信）されてよく、および／または、１つもしくは複数のＲＡＴからの信号は、予め決定された優先度規則に基づいてパンクチャされてよい。パンクチャリング、ミューティング、ゼロ電力信号送信、および／またはレートマッチングは、交換可能に使用され得る。
【０１２６】
ＲＡＴにおけるより低い優先度の信号がパンクチャされ得る。ＷＴＲＵは、より低い優先度の信号がパンクチャされると、より高い優先度の信号が送信されることを想定することができる。より高い優先度の信号と重ねられた相当する数の時間／周波数リソースがパンクチャされ得る。例えば、第１のＲＡＴのＴＴＩ長が第２のＲＡＴのＴＴＩ長の整数倍である（例えば、および／または、第１のＲＡＴのＴＴＩがより高い優先度である）場合、（例えば、第１のＲＡＴのより高い優先度ＴＴＩと重なり得る）第２のＲＡＴにおける１つもしくは複数または多数のＴＴＩがパンクチャされ得る。
【０１２７】
優先度信号（例えば、および／または非優先度信号）が、送信（例えば、同時に送信）され得る。ＲＡＴ（例えば、異なるＲＡＴ）からの信号（例えば、１つもしくは複数または多数の信号）が、同じ優先度および／または非優先度規則を有する場合、１つもしくは複数または多数の信号が送信（例えば、同時に送信）され得る。ＷＴＲＵは、信号（例えば、１つもしくは複数または多数の信号）が送信（例えば、同時に送信）されることができること、および／またはＷＴＲＵが信号（例えば、１つもしくは複数または多数の信号）を受信することができることを、１つまたは複数のスケジューリング情報に基づいて決定することができる。下記の情報の１つまたは複数が、ＷＴＲＵに対して示され得る。ＷＴＲＵに対して示され得る情報は、信号の電力レベルを含むことができる。例えば、ＷＴＲＵは、より高い信号電力を有するＲＡＴからの信号を受信し、復号し、および／もしくは復号しようと試みることができ、並びに／または、ＷＴＲＵは、（例えば最初に）受信信号から復号された信号をキャンセルし、および／もしくはＲＡＴ（例えば、別のＲＡＴ）からの信号を続けて復号することなどができる。ＷＴＲＵに対して示され得る情報は、関連付けられたＲＡＴを含むことができる。ＷＴＲＵは、特定のＲＡＴ（例えば第２のＲＡＴ）からの信号を復号しようと試み、および／または受信することができ、ＷＴＲＵは、受信された信号から（例えば最初に）復号された信号をキャンセルしようと試みることができる。ＷＴＲＵ受信機における信号検出順序が、例えば関連付けられたＲＡＴに基づいて、決定され得る。例えば、ＷＴＲＵは、まず第２のＲＡＴからの信号を復号しようと試みることができ、ＷＴＲＵは、受信された信号から第１のＲＡＴからの信号を復号しようと試みることができる。ＷＴＲＵに対して示され得る情報は、１つもしくは複数またはそれぞれのＲＡＴのために使用される変調および／または符号化方式を含むことができる。ＷＴＲＵに対して示され得る情報は、１つもしくは複数またはそれぞれのＲＡＴに関連付けた多元接続方式を含むことができる。
【０１２８】
ＷＴＲＵは、第２のＲＡＴの１つまたは複数の時間／周波数リソースでスケジューリングされ得る。スケジューリングされた時間／周波数リソースの一部は、例えば、第１のＲＡＴのより高い優先度の信号と重なることに起因する、より低い優先度の信号であり得る。スケジューリングされたリソースの第１の部分は、第２のＲＡＴのみの信号と呼ばれることがあり、スケジューリングされたリソースの第２の部分は、マルチＲＡＴ（例えば、第１のＲＡＴおよび／または第２のＲＡＴ）ＣｏＭＰ信号と呼ばれることがある。下記のうちの１つまたは複数を適用することができる。優先度規則は、スケジューリングされたリソースの第２の部分に対して適用することができる。優先度規則は、スケジューリングされたリソース（例えば、全てのスケジューリングされたリソース）に対して適用することができる。変調および／または符号化方式は、適用することができ、および／またはスケジューリングされたリソースの第２の部分に基づいて決定されることができ、および／またはスケジューリングされたリソース（例えば、全てのスケジューリングされたリソース）のために使用され得る。変調および／または符号化方式は、スケジューリングされたリソースの１つまたは複数（例えば、第１および／または第２）の部分について、適用することができ、および／または決定（例えば、独立して決定）されることができる。パンクチャリングは、より低い優先度の信号に対して適用することができる（例えば、より低い優先度の信号のみに適用することができる）。
【０１２９】
例えば、パンクチャリングは、スケジューリングされたリソースの部分（例えば、第２の部分）のために（例えば、この部分だけのために）、その優先度が低くおよび／または信号の第１の部分がパンクチャリングなしに送信され得る場合、使用され得る。波形は、スケジューリングされたリソースの部分（例えば、第１の部分）および／またはスケジューリングされたリソースの部分（例えば、第２の部分）について、適用することができ、および／または決定（例えば、独立して決定）されることができる。例えば、第１の波形（例えば、ＺＴ  ＤＦＴ−ｓ−ＯＦＤＭ）は、スケジューリングされたリソースの部分（例えば、第１の部分）に使用されてよく、および／または第２の波形（ＣＰ−ＯＦＤＭ）は、スケジューリングされたリソースの部分（例えば、第２の部分）に使用されてよい。ヌメロロジはスケジューリングされたリソースの部分（例えば、第１の部分）および／またはスケジューリングされたリソースの部分（例えば、第２の部分）について、適用することができ、および／または決定（例えば、独立して決定）されることができる。例えば、第１のＲＡＴのそれを有するヌメロロジ（例えば、同じヌメロロジ）が、第２のＲＡＴのスケジューリングされたリソースの部分（例えば、第２の部分）のために使用されてよく、一方第１のＲＡＴのそれを有するヌメロロジ（例えば、異なるヌメロロジ）が、スケジューリングされたリソースの部分（例えば、第１の部分）のために使用されてもよい。
【０１３０】
ＷＴＲＵは、非直交ジョイント送信、例えば、第１のＲＡＴ（例えばＬＴＥ）と第２のＲＡＴ（例えばＮＲ）との間の非直交ジョイント送信を処理するように構成され得る。
【０１３１】
ＷＴＲＵは、例えば、特定の波形、ヌメロロジ、および／または多元接続方式を有する、ＲＡＴからの信号を受信し、復号しようと試み、および／または復号することができる。ＷＴＲＵは、例えば、信号タイプに基づく、特定の波形、ヌメロロジ、および／または多元接続方式を有する、ＲＡＴからの信号を受信し、復号しようと試み、および／または復号することができる。信号タイプは、調整セット内の異なるＲＡＴと重なっているリソースに応じて決定され得る。例えば、第１の信号タイプは、調整セット内の異なるＲＡＴからの異なる（例えば、より高い）優先度の信号と重ねられた信号であり得る。第２の信号タイプは、調整セット内の異なるＲＡＴからのより高い優先度の信号と重ねられていない信号であり得る。第２の信号タイプは、調整セット内のＲＡＴ（例えば、異なるＲＡＴ）からの優先度（例えば、同じ優先度および／またはより低い優先度）信号と重ねられた時間／周波数リソースにおいてスケジューリングされた信号であり得る。第２の信号タイプは、調整セット内のＲＡＴ（例えば、異なるＲＡＴ）からの信号と重ねられていない時間／周波数リソースでスケジューリングされた信号であり得る。
【０１３２】
波形、ヌメロロジ、および／またはフレーム構造は、信号タイプに基づいて決定され得る。例えば、信号タイプ（例えば、第１の信号タイプ）のＴＴＩ長は、異なるＲＡＴからの重ねられた優先度（例えば、より高い優先度）信号のＴＴＩ長に基づいて決定されてよく、一方、信号タイプ（例えば、第２の信号タイプ）のＴＴＩ長は、予め決定され、上位層シグナリングから示され、および／またはセルＩＤに基づいて決定されてよい。ＷＴＲＵは、信号の受信および／または送信のための信号タイプに基づいて、波形、ヌメロロジ、および／またはフレーム構造を決定することができる。ＷＴＲＵは、信号タイプに基づいて、アクセス方式（例えば、多元接続方式）を決定することができる。例えば、第１の多元接続方式（例えば、非直交多元接続方式）は、信号タイプ（例えば、第１の信号タイプ）に対して使用されてよく、および／または、アクセス方式（例えば、直交多元接続方式などの第２の多元接続方式）は、信号タイプ（例えば、第２の信号タイプ）に対して使用されてよい。
【０１３３】
ＷＴＲＵは、例えば調整セット内の１つまたは複数のＲＡＴから、１つまたは複数の信号を受信することができる。ＷＴＲＵは、順序（例えば、予め決定された順序）に基づいて１つまたは複数の信号を復号することができる。例えば、ＷＴＲＵは、アクセス方式（例えば、非直交多元接続方式などの第１の多元接続方式）を有する信号を復号（例えば、最初に復号）することができ、および／またはＷＴＲＵは、使用されたアクセス方式（例えば、直交多元接続方式などの第２の多元接続方式）を有する信号を復号することができる。ＷＴＲＵは、受信された信号から使用されたアクセス方式（例えば、第１の多元接続方式）を有する信号をキャンセルし、および／またはアクセス方式（例えば、第２の多元接続方式）を有する信号を復号することができる。１つまたは複数のＲＡＴからの１つまたは複数の信号の復号順序が、下記のうちの１つまたは複数に基づいて決定され得る。１つまたは複数のＲＡＴからの１つまたは複数の信号の復号順序は、使用された１つまたは複数のアクセス方式に基づいて決定され得る。１つまたは複数のＲＡＴからの１つもしくは複数または多数の信号の復号順序は、使用された変調順序（例えば、および／またはコンスタレーション）に基づいて決定され得る。１つまたは複数のＲＡＴからの１つもしくは複数または多数の信号の復号順序は、例えば調整セット内のＲＡＴインデックスに基づいて決定され得る。１つまたは複数のＲＡＴからの１つもしくは複数または多数の信号の復号順序は、使用された波形に基づいて決定され得る。１つまたは複数のＲＡＴからの１つもしくは複数または多数の信号の復号順序は、使用されたヌメロロジに基づいて決定され得る。１つまたは複数のＲＡＴからの１つもしくは複数または多数の信号の復号順序は、１つまたは複数のシステムパラメータ（例えば、物理セルＩＤ、システム帯域幅など）に基づいて決定され得る。
【０１３４】
ＲＡＴからの信号のパラメータは、上位層シグナリングおよび／または物理層シグナリング（例えばダウンリンク制御情報）から示され得る。
【０１３５】
ＷＴＲＵは、１つまたは複数のＲＡＴにより利用され得るアップリンク参照信号を送信するように構成され得る。１つもしくは複数または多数のＲＡＴにわたって１つまたは複数の参照信号を利用するためのかかる技法は、アップリンク参照信号共有（Uplink Reference Signal Sharing）と呼ばれることがある。
【０１３６】
１つまたは複数のＲＡＴの能力を有することができるＷＴＲＵが、調整セット内の１つまたは複数のＲＡＴに対するサウンディング参照信号（ＳＲＳ）を送信するためにスケジューリングおよび／または構成され得る。１つまたは複数のＲＡＴにおけるＳＲＳ送信は、下記のうちの１つまたは複数に基づいて決定され得る。１つまたは複数のＲＡＴにおけるＳＲＳ送信は、使用される第１のタイプＳＲＳおよび／または第２のタイプＳＲＳに基づいて決定され得る。第１のタイプＳＲＳは、調整セット内のＲＡＴと共有され得る周波数リソースでのＳＲＳ送信とすることができ、および／または、第２のタイプＳＲＳは、１つもしくは複数のＲＡＴにより使用され得る周波数リソースでのＳＲＳ送信とすることができる。１つまたは複数のＲＡＴにおけるＳＲＳ送信が決定され得る。
【０１３７】
例えば、１つまたは複数のＲＡＴにおけるＳＲＳ送信は、１つまたは複数のＲＡＴ（例えば、異なるＲＡＴ）において１つまたは複数のＳＲＳ（例えば、第１のタイプＳＲＳ）を送信するように構成され得るＷＴＲＵに基づいて決定され得る。ＷＴＲＵは、１つまたは複数のＲＡＴにおいてＳＲＳ（例えば、第１のタイプＳＲＳ）を送信することができる。ＷＴＲＵは、下記の１つまたは複数に基づいて、ＷＴＲＵがＳＲＳ（例えば、第１のタイプＳＲＳ）を送信することが可能なＲＡＴを決定することができる。ＷＴＲＵは、予め決定された規則に基づいて、ＷＴＲＵが第１のタイプＳＲＳを送信することが可能なＲＡＴを決定することができる。例えば、１次ＲＡＴは、調整セット内のＲＡＴ内で決定、構成、および／または使用されることができ、並びに／または、ＷＴＲＵは、ＲＡＴ（例えば優先度ＲＡＴ）においてＳＲＳ（例えば、第１のタイプＳＲＳ）を送信することができる。ＷＴＲＵは、表示に基づいて、ＷＴＲＵが第１のタイプＳＲＳを送信することが可能なＲＡＴを決定することができる。ＳＲＳ送信をトリガすることができるシグナリング（例えば上位層シグナリング）および／またはダウンリンク制御チャネルが、ＳＲＳ（例えば、第の１タイプＳＲＳ）送信についてのＲＡＴインデックスを示すことができる。ＷＴＲＵは、ＲＡＴ（例えば、関連付けられたＲＡＴ）において第２のタイプＳＲＳを送信することができる。
【０１３８】
ＷＴＲＵは、例えば、ＳＲＳ（例えば、第１のタイプＳＲＳ）送信のための時間リソースが１つまたは複数のＲＡＴと重ねられる場合、１つまたは複数のＲＡＴにおいてＳＲＳ（例えば、第１のタイプＳＲＳ）を送信することができる。ＷＴＲＵは、例えば、ＳＲＳ送信がＲＡＴ（例えば、異なるＲＡＴ）のＳＲＳ送信と重ねられない場合、スケジューリングされおよび／または構成された時間リソース内でＲＡＴ（例えば、関連付けられたＲＡＴ）においてＳＲＳ（例えば、第１のタイプＳＲＳ）を送信することができる。ＷＴＲＵは、１つまたは複数のＲＡＴの１つまたは複数のＳＲＳ送信がリソース（例えば同じ時間リソース）内で重ねられ得る場合、ＲＡＴ（例えば、１次ＲＡＴのような予め決定されたＲＡＴ）においてＳＲＳ（例えば、第１のタイプＳＲＳ）を送信することができる。
【０１３９】
ＳＲＳ、アップリンク参照信号、および／またはアップリンク測定参照信号は、交換可能に使用され得る。
【０１４０】
ＷＴＲＵは、マルチＲＡＴ  ＣｏＭＰのための１つまたは複数の制御チャネルを利用するように構成され得る。例えば、１次ＲＡＴおよび２次ＲＡＴは、ＷＴＲＵによって利用されることができ、並びに／または、ＷＴＲＵは、第１のＲＡＴと第２のＲＡＴとの間のマルチＲＡＴ  ＣｏＭＰおよび／もしくはマルチＲＡＴジョイント通信を容易にする制御チャネルを送信および／もしくは受信することができる。
【０１４１】
ＷＴＲＵは、１次ＲＡＴおよび／または１つもしくは複数の２次ＲＡＴを有することができ、並びに／または、１次ＲＡＴおよび／または１つもしくは複数の２次ＲＡＴと共に構成され得る。ＲＡＴは、波形、ヌメロロジ、および／またはフレーム構造のうちの１つまたは複数を使用することができる。例えば、ＲＡＴは、異なる波形、異なるヌメロロジ、および／または異なるフレーム構造のうちの１つまたは複数を使用することができる。
【０１４２】
１次ＲＡＴは、それと共にＷＴＲＵが同期し、キャンプオンし、ＲＲＣ接続を維持し、セキュリティパラメータもしくはプロトコルを取得し、および／またはそれらを維持することなどが可能なＲＡＴであり得る。１次ＲＡＴは、そのＲＡＴ上でＷＴＲＵが制御チャネルを監視する（例えば、ＤＲＸの期間中を除いて常時監視する）ことができるＲＡＴであり得る。
【０１４３】
ＷＴＲＵは、ＲＡＴ（例えば１次ＲＡＴ）および／または別のＲＡＴ（例えば２次ＲＡＴ）上のリソースをスケジューリングし得るＲＡＴ（例えば１次ＲＡＴ）上の制御チャネルを受信することができる。制御チャネルによって搬送され得る制御情報は、スケジューリングされているＲＡＴに基づくことができる。例えば、制御情報は、インジケータ、例えば、スケジューリングされているＲＡＴを示すことが可能なＲＡＴフラグを含むことができる。制御情報の内容は、ＲＡＴフラグの状態および／または値に依存し得る。
【０１４４】
ＲＡＴは、ＬＴＥであり得る。制御情報は、例えばＲＡＴフラグがＬＴＥを示すときに、ＬＴＥスケジューリング情報を含むことができる。ＲＡＴは、可変ヌメロロジおよび／またはＤＦＴ−ｓ−ＯＦＤＭなどの波形を使用することができるＮｅｗ  Ｒａｄｉｏ（ＮＲ）であり得る。制御情報は、例えば、ＲＡＴフラグがＮＲおよび／またはＤＦＴ−ｓ−ＯＦＤＭを示すことができるとき、ＤＦＴ−ｓ−ＯＦＤＭ波形に関連付けられたスケジューリングおよび／またはパラメータを含むことができる。制御情報は、一意なワードに関係付けられたパラメータを含むことができる。制御情報は、（例えば、ＤＬおよび／またはＵＬにおける）スケジューリングされた送信に関するヌメロロジをＷＴＲＵが決定することができるパラメータを含むことができる。一意なワードは、予め定義されたシーケンス、知られている信号を有するサブキャリアのセット、および／またはゼロ電力信号であり得る。
【０１４５】
ネットワークは、例えばＷＴＲＵからｎｅｗ  ＲＡＴへハンドオーバすることによって、ＷＴＲＵの１次ＲＡＴを変更することができる。例えば、ＷＴＲＵは、その１次ＲＡＴを第２のＲＡＴに変更するようにＷＴＲＵに示すことができるＲＡＴ（例えば第１のＲＡＴ）上の構成を（例えば、上位層シグナリングを介して）受信することができる。ＷＴＲＵは、（例えば、ＤＬにおいて）ｎｅｗ  ＲＡＴと同期することができる。ＷＴＲＵは、例えばｎｅｗ  ＲＡＴとのＵＬ同期を得るために、ｎｅｗ  ＲＡＴへ送信を送ることができる。ＷＴＲＵは、ハンドオーバが完了した（例えば成功裏に完了した）であろうことを（例えば、ｎｅｗ  ＲＡＴを介して）示すことができる。ＷＴＲＵは、例えば、第２のＲＡＴ上の制御チャネルを監視することができる。
【０１４６】
ＷＴＲＵは、ＲＡＴ制御チャネルを送信および／または受信することができる。第１のＲＡＴの制御チャネルは、例えばタイミング（例えば第１のタイミング）に基づいて、送信、受信および／または使用され得る。第２のＲＡＴの制御チャネルは、例えばタイミング（例えば第１のタイミング）に基づいて、送信、受信および／または使用され得る。
【０１４７】
ＲＡＴ制御チャネル（例えば、第１のＲＡＴ制御チャネル）は、時間期間で送信され得る（例えば、１ｍｓなどのサブフレームにおいて送信され得る）。制御チャネルは、サブフレームの始まりにあるシンボルにおいて送信され得る。ＲＡＴ（例えば第２のＲＡＴ）制御チャネルは、ＲＡＴ（例えば第１のＲＡＴ）の送信時間期間の分数、例えば１００μｓおよび／または１２５μｓであり得る時間期間において、送信され得る。
【０１４８】
ＲＡＴ（例えば第１のＲＡＴ）制御チャネルは、例えば、時間期間（例えば、第１のＲＡＴ時間期間）内であり得る１つまたは複数の時間期間（例えば、第２のＲＡＴ時間期間）において、ＲＡＴ（例えば第２のＲＡＴ）の制御チャネルを監視するように、ＷＴＲＵに示すことができる。ＲＡＴ（例えば第１のＲＡＴ）制御チャネルは、ＷＴＲＵがＲＡＴ（例えば第２のＲＡＴ）の制御チャネルを監視することを可能にするためのパラメータ（例えば、時間／周波数情報、スケジューリング情報、探索空間情報、ダウンリンク制御情報（ＤＣＩ）、他の制御情報など）を含むことができる。ＷＴＲＵは、ＲＡＴ（例えば第１のＲＡＴ）制御チャネルを監視することができる。ＷＴＲＵは、例えば、ＲＡＴ（例えば第２のＲＡＴ）制御チャネルを監視するようにＲＡＴ（例えば第１のＲＡＴ）制御チャネルが示す場合、ＲＡＴ（例えば第２のＲＡＴ）制御チャネルを監視することができる。
【０１４９】
ＲＡＴ（例えば第１のＲＡＴ）制御チャネルは、１つまたは複数の時間期間（例えば、１００μｓおよび／または１２５μｓなどのサブフレーム）で送信され得る。制御チャネルは、例えばサブフレームの始まりにある、シンボルにおいて送信され得る。ＲＡＴ（例えば第２のＲＡＴ）制御チャネルは、例えばＲＡＴ（例えば第１のＲＡＴ）の１つまたは複数の時間期間、例えば１ｍｓに対して異なり得る（例えば、より長い）時間期間において送信され得る。
【０１５０】
ＲＡＴ（例えば第１のＲＡＴ）制御チャネルは、例えば、１つまたは複数のＲＡＴ（例えば第１のＲＡＴ）時間期間に続き得る１つまたは複数のＲＡＴ（例えば第２のＲＡＴ）時間期間において、ＲＡＴ（例えば第２のＲＡＴ）の制御チャネルを監視するように、ＷＴＲＵに示すことができる。ＷＴＲＵは、第１のＲＡＴと第２のＲＡＴとにわたるジョイント通信をアクティブ化および／または非アクティブ化することができ、これは、おそらくは、例えば、１つまたは複数のＲＡＴ制御チャネルにおいて監視される情報（例えば、スケジューリング情報、探索空間情報、またはダウンリンク制御情報（ＤＣＩ）など）に基づく。
【０１５１】
ＷＴＲＵは、重なっているＲＡＴ（例えば、スペクトルおよび／または他の送信リソースを共有または部分的に共有するＲＡＴ）から送信および／または受信をするように構成され得る。
【０１５２】
例えば、１つまたは複数（例えば２つ）のＲＡＴのスペクトルは重なり得る。例えば、ＲＡＴ（例えばＬＴＥ  ＲＡＴ）は、より広いＢＷの下側および／または上側Ｘ  ＭＨｚ（例えば２０ＭＨｚ）を含むことができる。ＲＡＴ（例えばＮＲ）は、より広いＢＷ（例えば、より広いＢＷ全体）、例えば１００ＭＨｚを使用することができる。
【０１５３】
ＮＲは、重要と考えられ得るレガシＲＡＴにおける信号を考慮に入れるために使用され得る。ＮＲは、例えば、（例えば、レガシＬＴＥ  ＲＡＴで動作しているレガシＷＴＲＵに対する干渉および／または影響なしに）両方のＲＡＴを使用するために、重要と考えられ得るレガシＲＡＴにおける信号を考慮に入れるために使用され得る。
【０１５４】
１つのＲＡＴ（例えばＮＲ）において送信しているとき、１つまたは複数のレガシ信号（例えばＰＤＣＣＨ）との衝突を回避するために送信がパンクチャされ得る。例えば、レガシＰＤＣＣＨ送信と重なるＮＲ送信がパンクチャされ得る。レガシ参照信号と重なるＮＲ送信がパンクチャされ得る。レガシ同期信号と重なるＮＲ送信がパンクチャされ得る。
【０１５５】
ＲＡＴ（例えば第１のＲＡＴ）上の送信を受信することができるＷＴＲＵが、ＲＡＴ（例えば第２のＲＡＴ）の構成を受信することができる。ＷＴＲＵは、その構成を使用して、例えばＲＡＴ（例えば第２のＲＡＴ）上の重要であり得る信号との衝突を回避するために、パンクチャされ得るＲＡＴ（例えば第１のＲＡＴ）上の送信リソースを決定することができる。
【０１５６】
ＷＴＲＵは、ＲＡＴ（例えば、第２のＲＡＴ  ＢＷ）と重ねられ得るＲＡＴ（例えば、第１のＲＡＴ  ＢＷ）の１つまたは複数の部分のセットを用いて構成され得る。例えば、ＷＴＲＵは、ＲＡＴ（例えば第２のＲＡＴ）と重ねられ得るＲＡＴ  ＢＷ（例えば、第１のＲＡＴ  ＢＷ）内の１つまたは複数の（例えば、Ｘ  ＭＨｚの）周波数ブロックを示すことが可能な構成を受信することができる。Ｘは、例えばＬＴＥのＲＡＴ（例えば第２のＲＡＴ）の場合、１．４、３、５、１０、２０などのうちの１つまたは複数であり得る。重なっている周波数ブロックのうちの１つまたは複数は、１つまたは複数の周波数ブロック（例えば重なっている周波数ブロック）とは異なり得るＸの値を有することができる。
【０１５７】
ＷＴＲＵは、ＲＡＴ（例えば第１のＲＡＴ）が衝突を回避できる、および／またはＲＡＴ（例えば第１のＲＡＴ）送信をパンクチャできる、ＲＡＴ（例えば第２のＲＡＴ）の時間および／または周波数リソースをＷＴＲＵが決定することを可能にできる構成を受信することができる。重なっている周波数ブロックについて、ＷＴＲＵは、ＲＡＴ（例えば第１のＲＡＴ）が衝突を回避できる、および／またはＲＡＴ（例えば第１のＲＡＴ）送信をパンクチャできる、ＲＡＴ（例えば第２のＲＡＴ）の時間および／または周波数リソースをＷＴＲＵが決定することを可能にできる構成を受信することができる。
【０１５８】
ＷＴＲＵは、下記の１つまたは複数によって構成され得る。例えば、ＷＴＲＵは、第２のＲＡＴ（例えば、ＬＴＥ  ＲＡＴ）について下記のうちの１つまたは複数によって構成され得る。ＷＴＲＵは、ＭＢＳＦＮサブフレーム構成によって構成され得る。ＷＴＲＵは、ブランクサブフレーム（blank subframe）構成（例えば、ほぼブランクのサブフレーム構成）によって構成され得る。ＷＴＲＵは、１つまたは複数のｅＰＤＣＣＨ構成によって構成され得る。ＷＴＲＵは、例えばＮＢ−ＩｏＴに使用されてよい、サブバンドによって構成され得る。ＷＴＲＵは、ＰＤＣＣＨに使用され得るシンボルの数（例えば最大数）によって構成され得る。
【０１５９】
ＴＤＤ  ＵＬ／ＤＬ構成、および／または（例えば第２のＲＡＴ用の）ＵＬサブフレームであり得るサブフレームの表示は、ＴＤＤであってよい。
【０１６０】
ＭＢＳＦＮサブフレーム構成に関して、ＷＴＲＵは、ＣＲＳが制御領域シンボルに存在し得る（例えば、存在のみし得る）サブフレームを決定することができる。第２のＲＡＴのＭＢＳＦＮサブフレームでは、第１のＲＡＴが、１つまたは複数の制御チャネルシンボルとの衝突を回避することができる（例えば、回避することのみできる）。
【０１６１】
本明細書で説明された特徴および／または要素は８０２．１１固有のプロトコルを考慮することがあるが、本明細書に提供された特徴および／もしくは要素は、このシナリオに限定されることはなく、並びに／または他の無線システムに適用可能であり得る。ＳＩＦＳが様々なフレーム間隔を示すために使用されるが、他の全てのフレーム間間隔（例えば、ＲＩＦＳおよび／または他の合意された時間間隔）が適用され得る。
【０１６２】
上記では特徴および／または要素が特定の組み合わせで説明されているが、各特徴または要素が、単独でまたは他の特徴および要素との任意の組み合わせで使用され得ることは、当業者は理解されよう。本明細書で説明された方法は、コンピュータまたはプロセッサによって実行するためのコンピュータ可読媒体に組み込まれたコンピュータプログラム、ソフトウェア、またはファームウェアで実装され得る。コンピュータ可読媒体の例は、（有線または無線接続を介して送信される）電子信号、およびコンピュータ可読記憶媒体を含む。コンピュータ可読記憶媒体の例は、ＲＯＭ、ＲＡＭ、レジスタ、キャッシュメモリ、半導体メモリデバイス、内蔵ハードディスクおよびリムーバブルディスクなどの磁気媒体、光磁気媒体、並びにＣＤ−ＲＯＭディスクおよびデジタル多用途ディスク（ＤＶＤ）などの光媒体を含むが、これらに限定されない。ＷＴＲＵ、ＵＥ、端末、基地局、ＲＮＣ、または任意のホストコンピュータにおいて使用するための無線周波数トランシーバを実装するために、ソフトウェアと関連するプロセッサが使用され得る。
【図１Ａ】
2020191688.tif 000003
【図１Ｂ】
2020191688.tif 000004
【図１Ｃ】
2020191688.tif 000005
【図１Ｄ】
2020191688.tif 000006
【図１Ｅ】
2020191688.tif 000007
【図２】
2020191688.tif 000008
【図３】
2020191688.tif 000009
【図４】
2020191688.tif 000010
【図５】
2020191688.tif 000011
【図６】
2020191688.tif 000012
【図７】
2020191688.tif 000013
【図８】
2020191688.tif 000014
【図９】
2020191688.tif 000015
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
メモリと、
プロセッサと
を備え、前記プロセッサは、
第１の無線アクセス技術の上のダウンリンク送信に関連付けられるダウンリンクリソース要素の第１のセットのサブセットが第２の無線アクセス技術の上のダウンリンク送信に関連付けられるリソース要素の第２のセットに重なることを判定し、
リソース要素の前記第２のセットに重ならないダウンリンクリソース要素の前記第１のセットのリソース要素を介して、前記第１の無線アクセス技術の上の前記ダウンリンク送信を受信し、
前記第１の無線アクセス技術の上の前記ダウンリンク送信に関連付けられるダウンリンクリソース要素の前記第１のセットの前記サブセットに関連付けられる干渉回避を実行する
ように構成される、ＷＴＲＵ。
【請求項２】
前記干渉回避を実行するように構成されることは、前記プロセッサが、前記第１の無線アクセス技術の上の前記ダウンリンク送信に関連付けられるダウンリンクリソース要素の前記第１のセットの前記サブセットに重なる前記第２の無線アクセス技術の上の前記ダウンリンク送信に関連付けられるリソース要素の前記第２のセットをパンクチャするように構成されることを備える、請求項１のＷＴＲＵ。
【請求項３】
前記第１の無線アクセス技術の上の前記ダウンリンク送信に関連付けられるダウンリンクリソース要素の前記第１のセットは、物理ダウンリンク制御チャネル（ＰＤＣＣＨ）送信に関連付けられる、請求項１のＷＴＲＵ。
【請求項４】
前記重なりは、時間および周波数においてである、請求項１のＷＴＲＵ。
【請求項５】
前記第１の無線アクセス技術の上の前記ダウンリンク送信に関連付けられるダウンリンクリソース要素の前記第１のセットは、セル固有の参照信号送信に関連付けられる、請求項１のＷＴＲＵ。
【請求項６】
前記プロセッサは、前記第１の無線アクセス技術の上の前記ダウンリンク送信に関連付けられるダウンリンクリソース要素の前記第１のセットが前記第２の無線アクセス技術の上の前記ダウンリンク送信に関連付けられるリソース要素の前記第２のセットよりも高いプライオリティを有することを判定するようにさらに構成される、請求項５のＷＴＲＵ。
【請求項７】
前記第１の無線アクセス技術の上の前記ダウンリンク送信に関連付けられるダウンリンクリソース要素の前記第１のセットが前記第２の無線アクセス技術の上の前記ダウンリンク送信に関連付けられるリソース要素の前記第２のセットよりも高いプライオリティを有するという判定は、前記第２の無線アクセス技術の上の前記ダウンリンク送信に関連付けられるリソース要素の前記第２のセットにおけるトラフィックよりも高いプライオリティを有する前記セル固有の参照信号送信に基づく、請求項６のＷＴＲＵ。
【請求項８】
第１の無線アクセス技術の上のダウンリンク送信に関連付けられるダウンリンクリソース要素の第１のセットのサブセットが第２の無線アクセス技術の上のダウンリンク送信に関連付けられるリソース要素の第２のセットに重なることを判定することと、
リソース要素の前記第２のセットに重ならないダウンリンクリソース要素の前記第１のセットのリソース要素を介して、前記第１の無線アクセス技術の上の前記ダウンリンク送信を受信することと、
前記第１の無線アクセス技術の上の前記ダウンリンク送信に関連付けられるダウンリンクリソース要素の前記第１のセットの前記サブセットに関連付けられる干渉回避を実行することと
を備える方法。
【請求項９】
前記干渉回避を実行することは、前記第１の無線アクセス技術の上の前記ダウンリンク送信に関連付けられるダウンリンクリソース要素の前記第１のセットの前記サブセットに重なる前記第２の無線アクセス技術の上の前記ダウンリンク送信に関連付けられるリソース要素の前記第２のセットをパンクチャすることを備える、請求項８の方法。
【請求項１０】
前記第１の無線アクセス技術の上の前記ダウンリンク送信に関連付けられるダウンリンクリソース要素の前記第１のセットは、物理ダウンリンク制御チャネル（ＰＤＣＣＨ）送信に関連付けられる、請求項８の方法。
【請求項１１】
前記重なりは、時間および周波数においてである、請求項８の方法。
【請求項１２】
前記第１の無線アクセス技術の上の前記ダウンリンク送信に関連付けられるダウンリンクリソース要素の前記第１のセットは、セル固有の参照信号送信に関連付けられる、請求項８の方法。
【請求項１３】
前記第１の無線アクセス技術の上の前記ダウンリンク送信に関連付けられるダウンリンクリソース要素の前記第１のセットが前記第２の無線アクセス技術の上の前記ダウンリンク送信に関連付けられるリソース要素の前記第２のセットよりも高いプライオリティを有することを判定することをさらに備える、請求項１２の方法。
【請求項１４】
前記第１の無線アクセス技術の上の前記ダウンリンク送信に関連付けられるダウンリンクリソース要素の前記第１のセットが前記第２の無線アクセス技術の上の前記ダウンリンク送信に関連付けられるリソース要素の前記第２のセットよりも高いプライオリティを有するという判定は、前記第２の無線アクセス技術の上の前記ダウンリンク送信に関連付けられるリソース要素の前記第２のセットにおけるトラフィックよりも高いプライオリティを有する前記セル固有の参照信号送信に基づく、請求項１３の方法。